(57)【要約】【課題】車両の駐車料金を自動的に計算して徴収する装置を備える駐車場において、駐車場の運営側と店舗との連携を図り、店舗の予約および店舗を利用したユーザに対しての駐車料金の割引を可能にする駐車場システムを提供する。【解決手段】駐車場側の装置から、店舗の予約者を識別するデータと、駐車料金の割引の対象を特定するデータの基礎となるデータとを含む予約用データを、店舗側の装置へ送信する。駐車場側の装置は、店舗側の装置が予約用データに基づいて予約を受け付けると決定したときに店舗側の装置から、予約を受け付けた旨を示すデータを受信して予約者に知らせる。駐車場側の装置は、店舗側の装置から出力される、駐車料金の割引の対象を特定するデータを受信して記憶し、駐車料金の割引の対象を特定するデータに基づいて、その対象に対して割引を適用した駐車料金を計算し、計算した駐車料金を請求し、徴収する。【選択図】  図１
2004334299.tif 000002
【特許請求の範囲】
【請求項１】
駐車場での車両の駐車料金を自動的に計算して徴収する装置において、
（１）前記駐車料金の割引を依頼する割引依頼側の装置から出力される、駐車料金の割引の対象を特定するデータを受信して記憶する手段と、
（２）前記駐車料金の割引の対象を特定する前記データに基づいて、前記対象に対して割引を適用した駐車料金を計算する手段と、
（３）計算した前記駐車料金を請求する手段と
（４）前記駐車料金を徴収する手段と
を備える装置。
【請求項２】
請求項１に記載の装置において、
データを記録可能な駐車券に、駐車料金の精算時に用いるデータを記録して発行する手段と、
前記駐車券に記録されたデータを読み出す手段と
を備え、
前記（１）の手段で受信される前記駐車料金の割引の対象を特定する前記データは、前記割引依頼側の装置で前記駐車券に記録されるものであり、前記（１）の手段は、前記割引依頼側の装置から送信される前記駐車料金の割引の対象を特定する前記データを、前記読み出す手段を介して受信して記憶する手段を含む、
装置。
【請求項３】
請求項１に記載の装置において、
前記（１）の手段は、前記駐車料金の割引の対象を特定する前記データを、前記割引依頼側の装置から通信回線を介して受信して記憶する手段を含む、
装置。
【請求項４】
請求項１ないし３の何れかに記載の装置において、
前記（１）の手段で受信される前記駐車料金の割引の対象を特定する前記データは、該データに前記割引依頼側において付加された、駐車料金の割引を適用することを示すデータを含む、
装置。
【請求項５】
請求項１ないし３の何れかに記載の装置において、
前記割引依頼側は商行為を行うものであり、
前記（１）の手段で受信される前記駐車料金の割引の対象を特定する前記データは、該データに前記割引依頼側において付加された、前記割引依頼側で使用された金額を示す消費金額データを含み、
前記（２）の手段は、
前記消費金額データにより示される金額が所定の金額を超えているか否かを判定する手段と、
前記消費金額データにより示される前記金額が、前記所定の金額を超えていると判定された場合に、割引を適用した駐車料金を計算し、前記所定の金額を超えていないと判定された場合に、割引を適用しない駐車料金を計算する手段と、
を含む、
装置。
【請求項６】
請求項１ないし５の何れかに記載の装置において、
割引を適用した駐車料金と、割引を適用しない駐車料金との差額を計算する手段と、
前記差額を、前記割引依頼側へ請求する手段と
を更に備える装置。
【請求項７】
請求項５に記載の装置において、
前記（１）の手段は、複数の前記割引依頼側の装置から、複数の前記消費金額データを受信して記憶する手段を含み、
前記（２）の手段は、
複数の前記消費金額データにより示される金額の合計金額を計算する手段と、
前記合計金額が、所定の金額を超えているか否かを判定する手段と、
前記合計金額が、前記所定の金額を超えていると判定された場合に、割引を適用した駐車料金を計算し、前記所定の金額を超えていないと判定された場合に、割引を適用しない駐車料金を計算する手段と
を含む、
装置。
【請求項８】
請求項７に記載の駐車場側の装置において、
割引を適用した駐車料金と、割引を適用しない駐車料金との差額を計算する手段と、
前記差額を、それぞれの前記消費金額データにより示される金額の比率に応じて、それぞれの前記割引依頼側へ請求する手段と
を備える装置。
【請求項９】
請求項１ないし８の何れかに記載の装置において、
前記割引依頼側の装置は前記駐車場外に設けられ、前記割引依頼側は前記駐車場から予約可能な商行為を行うものであり、
前記商行為の予約の申し込みのために、前記割引依頼側の装置へ、予約者を識別するデータと、前記（１）の手段で受信される前記駐車料金の割引の対象を特定する前記データの基礎となるデータとを含む予約用データを、送信する手段と、
前記予約用データに基づいて予約を受け付けると決定し且つ前記駐車料金の割引の対象を特定する前記データの基礎となる前記データを記憶した前記割引依頼側の装置から、予約を受け付けた旨および駐車料金の割引が可能である旨を示すデータを受信して記憶し、前記予約者に知らせる手段と
を更に備える装置。
【請求項１０】
請求項９に記載の装置において、
１以上の前記割引依頼側を示すデータを記憶し、表示する手段と、
表示された前記割引依頼側の中から、予約を申し込む割引依頼側を選択する手段と、
前記予約データを入力して記憶する手段と、
を備える装置。
【請求項１１】
駐車場から予約を行うシステムで用いる駐車場側の装置であって、
予約可能な商行為を行う被予約側の装置へ、予約の申し込みのために、予約者を識別するデータを含む予約データを送信する手段と、
前記予約データを受信した前記被予約側の装置から、予約を受け付けたか否かを示すデータを受信して記憶する手段と、
前記予約を受け付けたか否かを示すデータを前記予約者に知らせる手段と
を備える装置。
【請求項１２】
コンピュータを、駐車場での車両の駐車料金を自動的に計算して徴収するように機能させるプログラムにおいて、
（１）前記駐車料金の割引を依頼する割引依頼側の装置から出力される、駐車料金の割引の対象を特定するデータを受信して記憶する手段、
（２）前記駐車料金の割引の対象を特定する前記データに基づいて、前記対象に対して割引を適用した駐車料金を計算する手段、
（３）計算した前記駐車料金を請求する手段、および
（４）前記駐車料金を徴収する手段
としてコンピュータを機能させるプログラム。
【請求項１３】
請求項１２に記載のプログラムにおいて、
データを記録可能な駐車券にデータを記録して発行する手段に、駐車料金の精算時に用いるデータを記録して発行させる手段、および
前記駐車券に記録されたデータを読み出す手段
としてコンピュータを機能させるプログラムを備え、
前記（１）の手段で受信される前記駐車料金の割引の対象を特定する前記データは、前記割引依頼側の装置で前記駐車券に記録されるものであり、前記（１）の手段は、前記割引依頼側の装置から送信される前記駐車料金の割引の対象を特定する前記データを、前記読み出す手段を介して受信して記憶する手段を含む、
プログラム。
【請求項１４】
請求項１２に記載のプログラムにおいて、
前記（１）の手段は、前記駐車料金の割引の対象を特定する前記データを、前記割引依頼側の装置から通信回線を介して受信して記憶する手段を含む、
プログラム。
【請求項１５】
請求項１２ないし１４の何れかに記載のプログラムにおいて、
前記（１）の手段で受信される前記駐車料金の割引の対象を特定する前記データは、該データに前記割引依頼側において付加された、駐車料金の割引を適用することを示すデータを含む、
プログラム。
【請求項１６】
請求項１２ないし１４の何れかに記載のプログラムにおいて、
前記割引依頼側は商行為を行うものであり、
前記（１）の手段で受信される前記駐車料金の割引の対象を特定する前記データは、該データに前記割引依頼側において付加された、前記割引依頼側で使用された金額を示す消費金額データを含み、
前記（２）の手段は、
前記消費金額データにより示される金額が所定の金額を超えているか否かを判定する手段と、
前記消費金額データにより示される前記金額が、前記所定の金額を超えていると判定された場合に、割引を適用した駐車料金を計算し、前記所定の金額を超えていないと判定された場合に、割引を適用しない駐車料金を計算する手段と、
を含む、
プログラム。
【請求項１７】
請求項１２ないし１６の何れかに記載のプログラムにおいて、
割引を適用した駐車料金と、割引を適用しない駐車料金との差額を計算する手段と、
前記差額を、前記割引依頼側へ請求する手段と
を更に備えるプログラム。
【請求項１８】
請求項１６に記載のプログラムにおいて、
前記（１）の手段は、複数の前記割引依頼側の装置から、複数の前記消費金額データを受信して記憶する手段を含み、
前記（２）の手段は、
複数の前記消費金額データにより示される金額の合計金額を計算する手段と、
前記合計金額が、所定の金額を超えているか否かを判定する手段と、
前記合計金額が、前記所定の金額を超えていると判定された場合に、割引を適用した駐車料金を計算し、前記所定の金額を超えていないと判定された場合に、割引を適用しない駐車料金を計算する手段と
を含む、
プログラム。
【請求項１９】
請求項１８に記載の駐車場側のプログラムにおいて、
割引を適用した駐車料金と、割引を適用しない駐車料金との差額を計算する手段と、
前記差額を、それぞれの前記消費金額データにより示される金額の比率に応じて、それぞれの前記割引依頼側へ請求する手段と
を備えるプログラム。
【請求項２０】
請求項１２ないし１９の何れかに記載のプログラムにおいて、
前記割引依頼側の装置は前記駐車場外に設けられ、前記割引依頼側は前記駐車場から予約可能な商行為を行うものであり、
前記商行為の予約の申し込みのために、前記割引依頼側の装置へ、予約者を識別するデータと、前記（１）の手段で受信される前記駐車料金の割引の対象を特定する前記データの基礎となるデータとを含む予約用データを、送信する手段と、
前記予約用データに基づいて予約を受け付けると決定し且つ前記駐車料金の割引の対象を特定する前記データの基礎となる前記データを記憶した前記割引依頼側の装置から、予約を受け付けた旨および駐車料金の割引が可能である旨を示すデータを受信して記憶し、前記予約者へ知らせる手段と
を更に備えるプログラム。
【請求項２１】
請求項２０に記載のプログラムにおいて、
１以上の前記割引依頼側を示すデータを記憶し、表示する手段と、
表示された前記割引依頼側の中から、予約を申し込む割引依頼側を選択する手段と、
前記予約データを入力して記憶する手段と、
を備えるプログラム。
【請求項２２】
予約可能な商行為を行う被予約側の装置へ、予約の申し込みのために、駐車場側から、予約者を識別するデータを含む予約データを送信する手段、
前記予約データを受信した前記被予約側の装置から、予約を受け付けたか否かを示すデータを受信して記憶する手段、および
前記予約を受け付けたか否かを示すデータを前記予約者へ知らせる手段
としてコンピュータを機能させるプログラム。
【請求項２３】
駐車場での車両の駐車料金を自動的に計算して徴収する方法において、
（１）前記駐車料金の割引を依頼する割引依頼側の装置から出力される、駐車料金の割引の対象を特定するデータを受信して記憶するステップと、
（２）前記駐車料金の割引の対象を特定する前記データに基づいて、前記対象に対して割引を適用した駐車料金を計算するステップと、
（３）計算した前記駐車料金を請求するステップと
（４）前記駐車料金を徴収するステップと
を備える方法。
【請求項２４】
予約可能な商行為を行う被予約側の装置へ、予約の申し込みのために、駐車場側から、予約者を識別するデータを含む予約データを送信するステップ、
前記予約データを受信した前記被予約側の装置から、予約を受け付けたか否かを示すデータを受信して記憶するステップ、および
前記予約を受け付けたか否かを示すデータを前記予約者へ知らせるステップ
とを備える予約の方法。
【請求項２５】
コンピュータを、駐車場での車両の駐車料金を自動的に計算して徴収するように機能させるプログラムを記録した記録媒体において、
（１）前記駐車料金の割引を依頼する割引依頼側の装置から出力される、駐車料金の割引の対象を特定するデータを受信して記憶する手段、
（２）前記駐車料金の割引の対象を特定する前記データに基づいて、前記対象に対して割引を適用した駐車料金を計算する手段、
（３）計算した前記駐車料金を請求する手段、および
（４）前記駐車料金を徴収する手段
としてコンピュータを機能させるプログラムを記録した記録媒体。
【請求項２６】
予約可能な商行為を行う被予約側の装置へ、予約の申し込みのために、駐車場側から、予約者を識別するデータを含む予約データを送信する手段、
前記予約データを受信した前記被予約側の装置から、予約を受け付けたか否かを示すデータを受信して記憶する手段、および
前記予約を受け付けたか否かを示すデータを前記予約者へ知らせる手段
としてコンピュータを機能させるプログラムを記録した記録媒体。
【発明の詳細な説明】
【０００１】
【発明の属する技術分野】
本発明は、駐車場を管理するシステムに関連し、特に、駐車料金の計算および徴収、駐車場の利用者が受けようとするサービスの予約、駐車場内の駐車スペースの予約などを行うためのシステムに関する。
【０００２】
【従来の技術】
従来の有料の駐車場には、特許公報第２９６１４２９号に記載されているような車止め装置（ロック板と、ロック板を動作させる装置とを含む）を設置したものがある。
【０００３】
駐車場のユーザの中には、店舗を使用することを目的に、駐車場へ車両を駐車するユーザもいる。しかし、従来の駐車場では、ユーザが店舗を使用するためにその駐車場へ車両を駐車しても、店舗側の事情により、その店舗を利用できない場合がある。即ち、従来の駐車場では、店舗を利用する目的で駐車したにもかかわらず、その店舗を利用できないために駐車料金が無駄になる場合があるという欠点がある。
【０００４】
また、上記のような従来の駐車場は、駐車場を利用したい任意のユーザが自由に利用することができる。そのため、駐車場を利用したい時間帯が決まっていても、その時間帯に駐車場が満車の際には利用できないという欠点がある。この問題を解決するために、駐車スペースを予約するための駐車場予約システムが、特許公開公報第２００２−２１６１８４号で提案されている。その駐車場予約システムは、このシステムに認証用ＩＤを予め登録したユーザが、予約情報入力装置から予約情報を入力すると、駐車場内の車両が駐車されていない駐車スペースの車止め装置のロック板を上昇させて、他の車両がその駐車スペースへ駐車できないようにすることにより、駐車スペースを確保する。ユーザが駐車場に設置された装置から認証用ＩＤを入力すると、ロック板が下降し、駐車スペースへ車両を駐車できるようになる。
【０００５】
しかし、上記のような従来の駐車場予約システムでは、ユーザは、駐車場を予約可能とするために認証用ＩＤを登録しなければならず、また、予約可能な駐車場はその駐車場に限定される。そのため、ユーザは都合の良い駐車場を自由に選択できないという欠点がある。また、別の組織が運営する駐車場を予約可能とするには別の登録を行う必要がある。即ち、従来の駐車場予約システムでは、各ユーザが、手間のかかる登録手続を行う必要があるという欠点がある。店舗側としては、営業利益を上げるためのサービスの一部、即ち、付加価値として、駐車場予約用の認証用ＩＤを登録していないユーザに対しても駐車スペースを提供できるようにすることが望まれている。
【０００６】
即ち、従来の駐車場および駐車場予約システムでは、店舗と、店舗を使用するユーザとの双方に対して、駐車スペースを適宜に提供できない欠点がある。
更に、上記のような従来の有料の駐車場では、店舗を利用するか否かにかかわらず、駐車料金は画一的に決定される。従って、店舗から得た利益を駐車場のユーザへ還元するために駐車料金を下げる場合にも、その利益は、店舗を利用するユーザにも利用しないユーザにも均一に還元されることになる。即ち、駐車場の運営側が店舗と契約してその店舗から利益を得ている場合において、店舗から得た利益を、その店舗を使用したユーザに個別に還元できない欠点がある。また、店舗にとっては、その店舗を利用した場合に駐車料金が割り引かれるという付加価値を、ユーザに提供できない欠点がある。
【０００７】
駐車場の運営側と契約店舗との連携を図り、契約店舗の利用客を増大させ、かつ駐車場の稼働率を増大させることが望まれている。
【０００８】
【特許文献１】
特許公報第２９６１４２９号
【特許文献２】
特開２００２−２１６１８４号公報
【０００９】
【発明が解決しようとする課題】
本発明の１つの目的は、駐車場の運営側と契約店舗との連携を図り、店舗の利用客を増大させ、かつ、駐車場の稼働率を増大させることである。
【００１０】
本発明の１つの目的は、店舗と、店舗を使用するユーザとの双方に対して、駐車スペースを適宜に提供することである。
本発明の１つの目的は、店舗を利用することを目的に駐車場へ車両を駐車したユーザが、その店舗を駐車場から予約することにより、その店舗を確実に利用できるようにすることである。
【００１１】
本発明の１つの目的は、店舗が、その店舗を利用するユーザのために駐車場を予約できるようにすることである。
本発明の１つの目的は、店舗を利用したユーザに対して駐車料金を割り引くようにすることである。
【００１２】
【課題を解決するための手段】
本発明の装置は、駐車場での車両の駐車料金を自動的に計算して徴収する装置において、（１）前記駐車料金の割引を依頼する割引依頼側の装置から出力される、駐車料金の割引の対象を特定するデータを受信して記憶する手段と、（２）前記駐車料金の割引の対象を特定する前記データに基づいて、前記対象に対して割引を適用した駐車料金を計算する手段と、（３）計算した前記駐車料金を請求する手段と（４）前記駐車料金を徴収する手段とを備える。
【００１３】
本発明の装置は、上記の装置において、データを記録可能な駐車券に、駐車料金の精算時に用いるデータを記録して発行する手段と、前記駐車券に記録されたデータを読み出す手段とを備え、前記（１）の手段で受信される前記駐車料金の割引の対象を特定する前記データは、前記割引依頼側の装置で前記駐車券に記録されるものであり、前記（１）の手段は、前記割引依頼側の装置から送信される前記駐車料金の割引の対象を特定する前記データを、前記読み出す手段を介して受信して記憶する手段を含む。
【００１４】
本発明の装置は、上記の装置において、前記（１）の手段が、前記駐車料金の割引の対象を特定する前記データを、前記割引依頼側の装置から通信回線を介して受信して記憶する手段を含む。
【００１５】
本発明の装置は、上記の装置において、前記（１）の手段で受信される前記駐車料金の割引の対象を特定する前記データが、該データに前記割引依頼側において付加された、駐車料金の割引を適用することを示すデータを含む。
【００１６】
本発明の装置は、上記の装置において、前記割引依頼側が商行為を行うものであり、前記（１）の手段で受信される前記駐車料金の割引の対象を特定する前記データが、該データに前記割引依頼側において付加された、前記割引依頼側で使用された金額を示す消費金額データを含み、前記（２）の手段が、前記消費金額データにより示される金額が所定の金額を超えているか否かを判定する手段と、前記消費金額データにより示される前記金額が、前記所定の金額を超えていると判定された場合に、割引を適用した駐車料金を計算し、前記所定の金額を超えていないと判定された場合に、割引を適用しない駐車料金を計算する手段とを含む。
【００１７】
本発明の装置は、上記の装置において、割引を適用した駐車料金と、割引を適用しない駐車料金との差額を計算する手段と、前記差額を、前記割引依頼側へ請求する手段とを更に備える。
【００１８】
本発明の装置は、上記の装置において、前記（１）の手段が、複数の前記割引依頼側の装置から、複数の前記消費金額データを受信して記憶する手段を含み、
前記（２）の手段が、複数の前記消費金額データにより示される金額の合計金額を計算する手段と、前記合計金額が、所定の金額を超えているか否かを判定する手段と、前記合計金額が、前記所定の金額を超えていると判定された場合に、割引を適用した駐車料金を計算し、前記所定の金額を超えていないと判定された場合に、割引を適用しない駐車料金を計算する手段とを含む。
【００１９】
本発明の装置は、上記の装置において、引を適用した駐車料金と、割引を適用しない駐車料金との差額を計算する手段と、前記差額を、それぞれの前記消費金額データにより示される金額の比率に応じて、それぞれの前記割引依頼側へ請求する手段とを備える。
【００２０】
本発明の装置は、上記の装置において、前記割引依頼側の装置が前記駐車場外に設けられたものであり、前記割引依頼側は前記駐車場から予約可能な商行為を行うものであり、前記商行為の予約の申し込みのために、前記割引依頼側の装置へ、予約者を識別するデータと、前記（１）の手段で受信される前記駐車料金の割引の対象を特定する前記データの基礎となるデータとを含む予約用データを、送信する手段と、前記予約用データに基づいて予約を受け付けると決定し且つ前記駐車料金の割引の対象を特定する前記データの基礎となる前記データを記憶した前記割引依頼側の装置から、予約を受け付けた旨および駐車料金の割引が可能である旨を示すデータを受信して記憶し、前記予約者に知らせる手段とを更に備える。
【００２１】
本発明の装置は、上記の装置において、１以上の前記割引依頼側を示すデータを記憶し表示する手段と、表示された前記割引依頼側の中から、予約を申し込む割引依頼側を選択する手段と、前記予約データを入力して記憶する手段とを備える。
【００２２】
本発明の装置は、駐車場から予約を行うシステムで用いる駐車場側の装置であって、予約可能な商行為を行う被予約側の装置へ、予約の申し込みのために、予約者を識別するデータを含む予約データを送信する手段と、前記予約データを受信した前記被予約側の装置から、予約を受け付けたか否かを示すデータを受信して記憶する手段と、前記予約を受け付けたか否かを示すデータを前記予約者に知らせる手段とを備える。
【００２３】
本発明のプログラムは、コンピュータを、駐車場での車両の駐車料金を自動的に計算して徴収するように機能させるプログラムにおいて、（１）前記駐車料金の割引を依頼する割引依頼側の装置から出力される、駐車料金の割引の対象を特定するデータを受信して記憶する手段、（２）前記駐車料金の割引の対象を特定する前記データに基づいて、前記対象に対して割引を適用した駐車料金を計算する手段、（３）計算した前記駐車料金を請求する手段、および（４）前記駐車料金を徴収する手段としてコンピュータを機能させる。
【００２４】
本発明のプログラムは、上記のプログラムにおいて、データを記録可能な駐車券にデータを記録して発行する手段に、駐車料金の精算時に用いるデータを記録して発行させる手段、および前記駐車券に記録されたデータを読み出す手段としてコンピュータを機能させるプログラムを備え、前記（１）の手段で受信される前記駐車料金の割引の対象を特定する前記データは、前記割引依頼側の装置で前記駐車券に記録されるものであり、前記（１）の手段は、前記割引依頼側の装置から送信される前記駐車料金の割引の対象を特定する前記データを、前記読み出す手段を介して受信して記憶する手段を含む。
【００２５】
本発明のプログラムは、上記のプログラムにおいて、前記（１）の手段が、前記駐車料金の割引の対象を特定する前記データを、前記割引依頼側の装置から通信回線を介して受信して記憶する手段を含む。
【００２６】
本発明のプログラムは、上記のプログラムにおいて、前記（１）の手段で受信される前記駐車料金の割引の対象を特定する前記データが、該データに前記割引依頼側において付加された、駐車料金の割引を適用することを示すデータを含む。
【００２７】
本発明のプログラムは、上記のプログラムにおいて、前記割引依頼側は商行為を行うものであり、前記（１）の手段で受信される前記駐車料金の割引の対象を特定する前記データが、該データに前記割引依頼側において付加された、前記割引依頼側で使用された金額を示す消費金額データを含み、前記（２）の手段が、前記消費金額データにより示される金額が所定の金額を超えているか否かを判定する手段と、前記消費金額データにより示される前記金額が、前記所定の金額を超えていると判定された場合に、割引を適用した駐車料金を計算し、前記所定の金額を超えていないと判定された場合に、割引を適用しない駐車料金を計算する手段とを含む。
【００２８】
本発明のプログラムは、上記のプログラムにおいて、割引を適用した駐車料金と、割引を適用しない駐車料金との差額を計算する手段と、前記差額を、前記割引依頼側へ請求する手段とを更に備えるプログラム。
【００２９】
本発明のプログラムは、上記のプログラムにおいて、前記（１）の手段が、複数の前記割引依頼側の装置から、複数の前記消費金額データを受信して記憶する手段を含み、前記（２）の手段が、複数の前記消費金額データにより示される金額の合計金額を計算する手段と、前記合計金額が、所定の金額を超えているか否かを判定する手段と、前記合計金額が、前記所定の金額を超えていると判定された場合に、割引を適用した駐車料金を計算し、前記所定の金額を超えていないと判定された場合に、割引を適用しない駐車料金を計算する手段とを含む。
【００３０】
本発明のプログラムは、上記のプログラムにおいて、割引を適用した駐車料金と、割引を適用しない駐車料金との差額を計算する手段と、前記差額を、それぞれの前記消費金額データにより示される金額の比率に応じて、それぞれの前記割引依頼側へ請求する手段とを備える。
【００３１】
本発明のプログラムは、上記のプログラムにおいて、前記割引依頼側の装置は前記駐車場外に設けられるものであり、前記割引依頼側は前記駐車場から予約可能な商行為を行うものであり、前記商行為の予約の申し込みのために、前記割引依頼側の装置へ、予約者を識別するデータと、前記（１）の手段で受信される前記駐車料金の割引の対象を特定する前記データの基礎となるデータとを含む予約用データを、送信する手段と、前記予約用データに基づいて予約を受け付けると決定し且つ前記駐車料金の割引の対象を特定する前記データの基礎となる前記データを記憶した前記割引依頼側の装置から、予約を受け付けた旨および駐車料金の割引が可能である旨を示すデータを受信して記憶し、前記予約者へ知らせる手段とを更に備える。
【００３２】
本発明のプログラムは、上記のプログラムにおいて、１以上の前記割引依頼側を示すデータを記憶し、表示する手段と、表示された前記割引依頼側の中から、予約を申し込む割引依頼側を選択する手段と、前記予約データを入力して記憶する手段とを備える。
【００３３】
本発明のプログラムは、予約可能な商行為を行う被予約側の装置へ、予約の申し込みのために、駐車場側から、予約者を識別するデータを含む予約データを送信する手段、前記予約データを受信した前記被予約側の装置から、予約を受け付けたか否かを示すデータを受信して記憶する手段、および前記予約を受け付けたか否かを示すデータを前記予約者へ知らせる手段としてコンピュータを機能させる。
【００３４】
本発明の方法は、駐車場での車両の駐車料金を自動的に計算して徴収する方法において、（１）前記駐車料金の割引を依頼する割引依頼側の装置から出力される、駐車料金の割引の対象を特定するデータを受信して記憶するステップと、（２）前記駐車料金の割引の対象を特定する前記データに基づいて、前記対象に対して割引を適用した駐車料金を計算するステップと、（３）計算した前記駐車料金を請求するステップと（４）前記駐車料金を徴収するステップとを備える。
【００３５】
本発明の方法は、予約可能な商行為を行う被予約側の装置へ、予約の申し込みのために、駐車場側から、予約者を識別するデータを含む予約データを送信するステップ、前記予約データを受信した前記被予約側の装置から、予約を受け付けたか否かを示すデータを受信して記憶するステップ、および前記予約を受け付けたか否かを示すデータを前記予約者へ知らせるステップとを備える。
【００３６】
本発明の記録媒体は、コンピュータを、駐車場での車両の駐車料金を自動的に計算して徴収するように機能させるプログラムを記録した記録媒体において、（１）前記駐車料金の割引を依頼する割引依頼側の装置から出力される、駐車料金の割引の対象を特定するデータを受信して記憶する手段、（２）前記駐車料金の割引の対象を特定する前記データに基づいて、前記対象に対して割引を適用した駐車料金を計算する手段、（３）計算した前記駐車料金を請求する手段、および（４）前記駐車料金を徴収する手段としてコンピュータを機能させるプログラムを記録する。
【００３７】
本発明の記録媒体は、予約可能な商行為を行う被予約側の装置へ、予約の申し込みのために、駐車場側から、予約者を識別するデータを含む予約データを送信する手段、前記予約データを受信した前記被予約側の装置から、予約を受け付けたか否かを示すデータを受信して記憶する手段、および前記予約を受け付けたか否かを示すデータを前記予約者へ知らせる手段としてコンピュータを機能させるプログラムを記録する。
【００３８】
【発明の実施の形態】
１．  本発明の第１の実施形態
本発明の駐車場管理システムを、駐車料金精算装置と車止め装置とを備えた駐車場において使用する場合の例について説明する。
【００３９】
本発明の駐車場管理システムの第１の実施形態は、駐車場へ車両を駐車したユーザが、その駐車場と契約しているサービス提供側が提供するサービスを受けるための予約を駐車場から行い、そのサービス提供側のサービスを受けた後に駐車料金の割引を受けるようにする構成を備える。
【００４０】
サービス提供側とは、例えば、商行為（例えば、物販等の商業やサービス業など）を行う店舗であり、駐車場の運営側と契約している店舗（契約店舗）である。サービス提供側のサービスとは、例えば、サービス提供側が飲食店である場合には、料理を客に提供することであり、サービス提供側が物品の販売店の場合には、客に物品を販売することなどである。サービス提供側の職種や提供するサービスの形態は任意のものである。駐車場の運営側とサービス提供側との契約とは、例えば、駐車場の運営側がサービス提供側の宣伝活動を行い、サービス提供側がその宣伝活動に対する対価を支払う契約や、本発明により実現される、駐車場から契約店舗の予約を可能にするための契約などである。
【００４１】
図１は、第１の実施形態の駐車場管理システムの構成を示す。
駐車場管理システムの駐車場側の装置のうち、サービス提供側が提供するサービスを予約するための装置は、駐車料金精算装置と別体に構成することも可能であるが、ここでは駐車料金精算装置と一体に構成した例を示す。
【００４２】
駐車場管理システムは、駐車場側装置１０と、店舗側装置２０とを備える。駐車場側装置１０と店舗側装置２０とは、通信回線３０を介して接続される。
駐車場側装置１０は、制御部１１、入力部１２、表示部１３、記憶部１４、送受信部１５、計時部１６、料金投入部１７、レシートなどの発行用の発行部１８、およびタッチパネル１９を備える。駐車場の各駐車スペースには車止め装置４０が設置されている。駐車場側装置１０の他の部分は示していないが、紙幣及び硬貨の真贋を検査する手段、釣銭を出す手段などの従来の一般的な料金精算機の構成も備えている。
【００４３】
駐車場側装置１０の各部と、それぞれの車止め装置４０とは、制御部１１に結合されている。制御部１１は、記憶部１４に記憶されたプログラムに従って、駐車場側装置１０全体および車止め装置４０の動作を制御する。駐車場側装置１０は、駐車場に車両を駐車したユーザが使用し易い場所に設置する。
【００４４】
店舗側装置２０は、制御部２１、入力部２２、表示部２３、記憶部２４、送受信部２５、および計時部２６を備える。店舗側装置２０の他の部分は示していないが、従来の一般的なコンピュータの構成を備えている。
【００４５】
店舗側装置２０の各部は制御部２１に結合されている。制御部２１は、記憶部２４に記憶されたプログラムに従って、店舗側装置２０全体の動作を制御する。
通信回線３０は、駐車場側装置１０と店舗側装置２０との間で情報を通信できる回線であればよい。回線は、有線でも無線でもよく、また、専用回線でも公衆回線でもよく、例えば、インターネット等を用いることができる。
【００４６】
図２は、駐車場管理システムの駐車場側装置１０の外観の一実施形態を示す。
まず、ユーザが駐車場の駐車スペースへ車両を駐車したときの、駐車場側装置１０の動作を簡単に説明する。
【００４７】
ユーザが駐車場の複数の駐車スペースのうちの、空いている駐車スペースに車両を駐車すると、その駐車スペースに配置された車止め装置４０のセンサが、車両が駐車されたことを検知する。車止め装置４０は、車両が駐車中であることを示すデータと、その駐車スペースの番号を識別するデータ（駐車スペース番号データ）とを含む信号を、駐車場側装置１０の制御部１１へ送信する。なお、駐車スペース番号データは、駐車スペースの番号を識別するのみではなく、その駐車スペースへ駐車された車両を識別するデータとして用いることもできる。
【００４８】
制御部１１は、その信号を車止め装置４０から受信すると、計時部１６から現在時刻を読み出し、その時刻を示すデータ（駐車開始時刻データ）と、受信した信号に含まれる車両駐車中を示すデータと、駐車スペース番号データとを、関連付けて記憶部１４に記憶する。また、制御部１１は、車止め装置４０から受信した信号に応答して、その車止め装置４０の車止め板を上昇させる信号を、車止め装置４０へ送信する。車止め板が上昇すると、車両は駐車スペースから退出できないようになる。
【００４９】
上記の動作は、従来の車止め装置を用いる駐車料金精算装置の動作と同様である。
【００５０】
図３および図４は、本発明の一実施形態の駐車場管理システムの駐車場側装置１０を用いて契約店舗のサービスを予約する動作を示すフローチャートである。図３と図４とは連続している。これらの図を参照して、第１の実施形態の駐車場管理システムの駐車場側装置１０から契約店舗のサービスを予約する動作を説明する。
【００５１】
ステップＡ１０において、車両を駐車したユーザが、サービス提供側、即ち、契約店舗を利用することを考慮する場合には、駐車場側装置１０の動作モードを契約店舗予約モードに切り替える信号を、入力部１２から入力する。
【００５２】
この入力部１２は、０から９までの数字に対応するキーを備えるテンキー型の入力ボタン、駐車場側装置１０のモード切替ボタン、入力（ｅｎｔｅｒ）ボタン、キャンセルボタンなどのボタンを備える。モード切替ボタンは、駐車料金支払モード、契約店舗予約モード、広告情報表示モードなどのモードを選択するためのボタンを含む。即ち、ユーザは、契約店舗予約モードを選択するボタンを押し、制御部１１は、契約店舗予約モードに切り替える信号を受信する。契約店舗予約モードが選択されると、動作は、ステップＡ１０からステップＡ２０へ進む。
【００５３】
なお、制御部１１は、何れのモード切替ボタンも押されていないときには、何れかのモード切替ボタンを押すことを指示するメッセージ（メッセージデータ）を記憶部１４から読出し、そのメッセージを含む初期画面を表示部１３に表示する。また、ユーザは、駐車場側装置１０を契約店舗予約モードに切り替えることを望まない場合、何もしなくてよい。この場合、処理はステップＡ１０から図４のエンドへ進む。
【００５４】
ステップＡ２０において、駐車場側装置１０の制御部１１は、契約店舗予約モードに切り替える信号に応答して、記憶部１４に記憶されている契約店舗に関するデータを読み出し、契約店舗をメニュー形式で表示するページを表示部１３に表示する。
【００５５】
契約店舗に関するデータは、それぞれの契約店舗を識別する店舗ＩＤデータ、店舗名を示す店舗名データ、それぞれの契約店舗を紹介する紹介データ、それぞれの契約店舗の現在の状況を示す状況データなどを含む。各店舗ごとに、店舗ＩＤデータと、店舗名データと、紹介データと、状況データとは関連付けて記憶されている。
【００５６】
紹介データは、店名、職種（例えば、飲食店、美容院、スーパーマーケットなどのように分類する）、住所、電話番号、地図などのデータと、その店舗に特定的なデータ、例えば、飲食店の場合には、席数、料理メニュー、料金、営業時間などのデータとを含む。
【００５７】
状況データは、例えば、契約店舗が飲食店の場合には、この状況データが更新された時点で店内にいる客数や予約状況などを示すデータを含む。また、その日に特定的なデータ、例えば、飲食店の場合には本日の特別料理などを示すデータを含めることもできる。また、例えば、契約店舗が物品を販売する店舗などの場合には、その店舗が受け入れられる客数の数に制限が無い場合もある。その場合には予約状況を示すデータは不要であるので、状況データには、営業時間を示すデータや推奨する商品を示すデータなどを含めることができる。駐車場側装置１０の記憶部１４に記憶されている状況データは、店舗側装置２０から通信回線３０を介して送信されて来る状況データにより、随時に更新することができる。
【００５８】
ここで、駐車場側装置１０に記憶される状況データの更新方法を説明する。店舗側装置２０の記憶部２４には、店舗の状況を示すデータ（店舗状況データ）を入力および更新するためのプログラムが記憶されている。店舗状況データは、駐車場側装置１０に記憶される状況データの基礎となるデータである。店舗状況データは、店舗側装置２０が予約を自動的に受け付けたときに自動的に更新される。また、契約店舗の人員が、随時（例えば、客が入った時や出た時）に、店舗側装置２０の入力部２２から、そのプログラムを用いて店舗状況データを入力することにより更新される。契約店舗の人員による入力の際には、制御部２１は、プログラムに基づいて、店舗状況データ入力用のグラフィックユーザインターフェースを表示部２３に表示する。契約店舗の人員は、入力部２２から、現在の店舗の状況を示すデータを入力する。例えば、契約店舗が飲食店の場合には、その時点で店内にいる客数（店内客数データ）や、予約状況（予約開始時刻データ、予約客数データなど）を示すデータなどを入力する。制御部２１は、入力された店舗状況データにより、記憶部２４に以前に記憶されている店舗状況データを更新し、かつ、その店舗状況データの中から店内客数データや予約状況を示すデータなどを抽出して、その抽出したデータ（状況データ）をこの店舗の店舗ＩＤデータと共に、送受信部２５から通信回線３０を介して駐車場側装置１０へ送信する。駐車場側装置１０の送受信部１５が店舗ＩＤデータと状況データとを受信すると、制御部１１は、記憶部１４内の、その店舗ＩＤデータに関連付けられて記憶されている状況データを、受信した状況データにより更新する。この時に、制御部１１は、計時部１６から時刻を読み出して、更新時刻データを状況データに含める。
【００５９】
ここで再び、駐車場側装置１０の動作の説明に戻る。
ステップＡ３０において、ユーザは、メニュー形式で表示された契約店舗のうちの１つの契約店舗を選択する。契約店舗の選択はタッチパネル部１９を介して行われる。タッチパネル部１９は透明の薄膜の形状であり、表示部１３の上に取り付けられる。制御部１１による制御の下で、表示部１３は、タッチパネル部１９の入力領域の位置を識別できるように、それぞれの入力領域に対応する部分にボタンアイコン等を表示する。即ち、表示部１３とタッチパネル部１９とにより、グラフィックユーザインターフェース、即ち、入力部を構成する。
【００６０】
ユーザは、表示部１３にメニュー形式で表示された契約店舗のうちの、予約したい店舗のアイコン、即ち、タッチパネル部１９上の、予約したい店舗を識別する信号を出力する領域を指で押す。制御部１１は、タッチパネル部１９からの、選択された契約店舗を識別する信号、即ち、その店舗の店舗ＩＤデータを識別する信号を受信する。以下、「表示部１３に表示されたボタンなどを押す」ということは、「ボタンなどにより表されている機能を識別する信号を出力する、タッチパネル部１９の対応する領域を押す」ということを意味する。
【００６１】
また、表示部１３に表示されるそれぞれの画面には、契約店舗をメニュー表示するページへ戻るボタン、次のページや前のページへ移行するボタン、予約するためのページへ移行する予約ボタン、契約店舗予約モードを終了させる終了ボタンなどが表示される。
【００６２】
ステップＡ４０において、制御部１１は、タッチパネル部１９から入力された、選択された契約店舗を識別する信号（店舗ＩＤデータ）に応答して、記憶部１４から、その店舗ＩＤデータに関連付けて記憶されている紹介データおよび状況データを読出し、表示部１３に表示する。
【００６３】
ステップＡ５０において、ユーザは、表示部１３に表示されている契約店舗をメニュー表示するページへ戻るボタン、予約ボタン、または終了ボタンを押す。制御部１１は、契約店舗のメニュー表示のページへ戻るボタンが押された場合、その信号に応答して、ステップＡ２０の処理へ移行する。終了ボタンが押された場合には図４のエンドへ進む。即ち、契約店舗予約モードを終了し、初期画面を表示する。予約ボタンが押された場合には、動作ステップは図４のステップＡ６０へ移行する。
【００６４】
なお、例えば、契約店舗が物品を販売する店舗などのように、その店舗が受け入れられる客数の数に制限が無い場合においても、予約を行うことにより、その店舗でサービス（例えば、物品の説明、販売などのサービス）をより確実に受けられるようになる。また、契約店舗側では、予約が行われることにより、客の来店予定が分かり、サービス提供の準備などを行うこともできる。
【００６５】
図３のステップＡ５０で予約ボタンが押された場合、図４のステップＡ６０において、制御部１１は、予約ボタンが押されたことを示す信号に応答して、記憶部１４から、その店舗ＩＤデータに関連付けて記憶されているその契約店舗用の予約フォームを読み出し、表示部１３に表示する。予約フォームは、その契約店舗を利用するユーザの氏名（複数の者が利用する場合は代表者の氏名）、利用者数、予約時刻、電話番号、車両／駐車スペースを識別する情報（この例では駐車スペース番号）などの、予約の申し込みに必要なデータ（予約データ）を入力する欄を含む。また、制御部１１は、表示部１３に、文字や記号を入力させるためのキーボード形式のアイコンを、同じ画面上に表示する。
【００６６】
ユーザは、表示部１３に表示されたキーボード形式のアイコンを介して、予約フォームへ予約データを入力する。制御部１１は、入力された予約データを、送受信部１５および通信回線３０を介して、店舗側装置２０の送受信部２５へ送信する。
【００６７】
店舗側装置２０は、受信した予約データに基づいて、予約を受け付けるか否かを決定する。店舗側装置２０は、予約を受け付けた場合には、予約客を識別するための予約客識別データを作成し、予約を受け付けた旨のメッセージと共に、通信回線３０を介して駐車場側装置１０へ送信する。予約を受け付けない場合には、予約を受け付られない旨のメッセージを示すデータを作成して送信する。この店舗側装置２０での処理については、下記の「店舗側装置２０での予約の処理」において説明する。
【００６８】
また、下記のステップＡ１１０からの処理と関連して、予約を受け付けた場合に、駐車料金の割引が可能である旨のメッセージも作成し、通信回線３０を介して駐車場側装置１０へ送信することもできる。
【００６９】
ステップＡ７０において、駐車場側装置１０の送受信部１５が、店舗側装置２０から、予約を受け付けた旨のメッセージを示すデータおよび予約客識別データ（および駐車料金の割引が可能である旨のメッセージ）、または予約を受け付られない旨のメッセージを示すデータを受信すると、制御部１１は、そのデータを表示部１３に表示する。
【００７０】
ステップＡ８０において、ユーザは、表示部１３に表示部されたメッセージを確認後、表示部１３に表示されている契約店舗をメニュー表示するページへ戻るボタンまたは終了ボタンを押す。
【００７１】
ユーザは、予約が受け付けられた場合には、終了ボタンを押す前に予約客識別データを記録しておく。ユーザは、契約店舗へ到着した時に、該ユーザが予約客であることを契約店舗側に示すために、記録した予約客識別データを店舗側へ呈示することができる。そうすることにより、店舗側としても、予約客をより確実に識別できるようになる。
【００７２】
制御部１１は、契約店舗メニュー表示のページへ戻るボタンが押された場合、その信号に応答して、動作ステップを図３のステップＡ２０へ移行する。終了ボタンが押された場合には、図４のエンドへ進む。即ち、終了を示す信号に応答して、契約店舗予約モードを終了し、初期画面を表示する。
【００７３】
以上で、駐車場側装置１０を用いての、契約店舗のサービスを受けるための予約を行う動作は終了する。駐車場側装置１０の記憶部１４は、上記の動作を実行させるためのプログラムを記憶している。
【００７４】
本発明の駐車場管理システムは、上記のステップＡ８０に続いて、契約店舗でサービスを受けたユーザに対して、駐車料金の割引を行う処理を行うことができる。
【００７５】
図５、図６および図７は、本発明の一実施形態の駐車場管理システムの契約店舗でサービスを受けたユーザに対して駐車料金の割引を行う動作を示すフローチャートである。図５と図６と図７とは連続している。図５のスタートから始まる処理は、図４のエンドから続く処理とすることができる。
【００７６】
この例では、ユーザが契約店舗で所定金額以上の金額を使用した場合に、所定時間に関して駐車料金が割引かれる処理を行う。所定金額および所定時間は、各契約店舗毎に設定可能である。従って、駐車場側装置１０の記憶部１４に、店舗ＩＤデータと、駐車料金の割引を受けるために契約店舗で最低限消費せねばならない金額（基準金額データ）と、駐車料金の割引を行う時間の長さ（割引時間データ）と、割引対象の時間中の割引率（割引率データ）とのデータを関連付けて記憶している。
【００７７】
図５のステップＡ１１０において、ユーザに対してサービスを提供した契約店舗側の人員は、店舗側装置２０の記憶部２４に記憶されている駐車料金割引用のプログラムを呼び出す。このプログラムは、契約店舗を利用したユーザに課せられる駐車料金を割引するためのデータを入力し、駐車場側装置１０へ送信するように構成されている。制御部２１は、記憶部２４からこのプログラムを読み出し、このプログラムに基づいて、駐車料金割引用の入力フォームを生成して表示部２３に表示する。入力フォームは、ユーザの呈示した予約客識別データと、ユーザがその契約店舗を使用したことを示すデータ（来店データ）と、その契約店舗で使った金額（消費金額データ）とを入力する欄とを含む。契約店舗側の人員は、これらのデータを入力フォームを介して入力する。（なお、例えば、消費金額データまたは予約客識別データが入力されたことにより、ユーザがその契約店舗を使用したものと判定する構成の場合、来店データは不要である。）制御部２１は、入力された予約客識別データに応答して、その予約客識別データと関連付けて記憶されている駐車スペース番号データ（この例における、駐車料金の割引の対象を特定するデータの基礎となるデータ）を記憶部２４から読み出す。
【００７８】
ステップＡ１２０において、制御部２１は、駐車料金の割引の対象を特定するデータとして、この例では、入力部２２を介して受信した来店データおよび消費金額データと、記憶部２４から読み出した駐車スペース番号データと、店舗ＩＤデータとを、送受信部２５および通信回線３０を介して駐車場側装置１０へ送信する。
【００７９】
ステップＡ１３０において、駐車場側装置１０の送受信部１５が、店舗ＩＤデータ、駐車スペース番号データ、来店データ、および消費金額データを、店舗側装置２０から、即ち、割引を依頼する側から受信する。制御部１１は、これらの受信したデータに基づいて、駐車料金割引の処理を開始する。
【００８０】
ステップＡ１４０において、制御部１１は、店舗側装置２０から受信した消費金額データと、店舗側装置２０から受信した店舗ＩＤデータと同じ店舗ＩＤと関連付けて予め記憶部１４に記憶している基準金額データとを比較し、消費金額データにより示される消費金額が、基準金額データにより示される基準金額以上であるか否かを判定する。制御部１１が、消費金額が基準金額よりも低いと判定した場合、動作は図６のステップＡ１５０へ進む。高いと判定した場合、動作は図６のステップＡ１６０へ進む。
【００８１】
図６のステップＡ１５０において、制御部１１は、消費金額が駐車料金の割引を受けるための基準金額に達していない旨のメッセージを示すデータを記憶部１４から読み出し、送受信部１５および通信回線３０を介して店舗側装置２０へ送信し、処理を終了する（図７のエンドへ進む）。なお、このメッセージを示すデータを受信した店舗側装置２０は、それを表示部２３に表示し、表示の後に駐車料金割引用のプログラムを終了する。
【００８２】
他方、図５のステップＡ１４０において、消費金額が、駐車料金の割引を受けるための基準金額に達していた場合、図６ステップＡ１６０において、制御部１１は、店舗側装置２０から受信した来店データを、この駐車スペース番号データと関連付けて記憶部１４に記憶する。来店データは、この駐車スペース番号データにより示される駐車スペースに駐車料金の割引が適用されることを示すために記憶されるデータである（なお、来店データを店舗側装置２０で入力しない構成の場合、割引が適用されることを示すデータを駐車場側装置１０で生成する）。次に、制御部１１は、駐車料金の割引を適用する旨のメッセージを示すデータを記憶部１４から読み出し、送受信部１５および通信回線３０を介して店舗側装置２０へ送信する。このメッセージを示すデータを受信した店舗側装置２０は、それを表示部２３に表示した後に駐車料金割引用のプログラムを終了させる。動作は、ステップＡ１６０からステップＡ１７０へ続く。
【００８３】
ステップＡ１７０において、駐車場から車両を退出させようとするユーザは、駐車場側装置１０の入力部１２の駐車料金支払モードを選択するためのボタンを押す。制御部１１はモードを駐車料金支払モードに切り替え、表示部１３に、駐車スペース番号データを入力部１２から入力することを指示するメッセージを表示する。ユーザは、入力部１２から、駐車スペース番号を入力する。
【００８４】
ステップＡ１８０において、制御部１１は、入力部１２から駐車スペース番号データを受信すると、記憶部１４に、この駐車スペース番号データに関連して来店データが記憶されているか否かを検査する。来店データが記憶されていない場合、動作はステップＡ１９０へ進み、記憶されている場合、動作はステップＡ２００へ進む。
【００８５】
ステップＡ１９０において、駐車場側装置１０は、従来の駐車料金精算装置と同様の動作を行う。即ち、制御部１１は、割引を適用しない駐車料金を計算して表示部１３に表示する。表示された金額が料金投入部１７から投入されると、投入金額を確認し、投入金額が適正であれば発行部１８からレシートを発行し、駐車スペース番号データにより示される駐車スペースに設置された車止め装置４０の車止め板を下降させ、車両が駐車スペースから退出できるようにする。その後、駐車場側装置１０はこの処理を終了する（図７のエンドへ進む）。
【００８６】
他方、ステップＡ１８０において、制御部１１は、来店データが記憶されていると判定した場合、ステップＡ２００において、その駐車スペース番号データに関連付けて記憶部１４に記憶されている駐車開始時刻データを読み出し、計時部１６から現在時刻データを読み出し、これらのデータに基づいて、駐車時間を計算する。次に、制御部１１は、記憶部１４に記憶されている店舗ＩＤデータのうちの、受信した店舗ＩＤデータと同じ店舗ＩＤデータに関連付けて記憶部１４に記憶されている割引時間データ（割引を受けられる最長の時間を示す）を読み出す。動作は、図６のステップＡ２００から図７のステップＡ２１０へ続く。
【００８７】
図７のステップＡ２１０において、制御部１１は、割引時間データにより示される時間と、駐車時間とを比較する。駐車時間が割引時間データにより示される時間以内である場合、動作はステップＡ２２０へ進み、割引データにより示される時間より長い場合、動作はステップＡ２３０へ進む。
【００８８】
ステップＡ２２０において、制御部１１は、駐車時間が、割引を受けられる時間以内の場合の駐車料金を計算する。制御部１１は、店舗ＩＤデータに関連付けて記憶部１４に記憶されている割引率データを読み出す。制御部１１は、駐車時間の正規の駐車料金を計算し、この駐車料金に割引率を適用して、割引後の駐車料金を計算する。
【００８９】
例えば、３０分の正規の駐車料金が３００円であり、駐車時間が１時間（３０分×２）であり、割引時間データにより示される時間が２時間であり、割引率データにより示される割引率が５０％であるとする。その場合、制御部１１により計算される駐車料金は、（３００円×２）×０．５＝３００円となる。また、例えば、２時間まで駐車料金を無料とする場合には、割引率を１００％とすればよい。動作は、ステップＡ２２０からステップＡ２４０へ続く。
【００９０】
他方、ステップＡ２１０において、制御部１１が、駐車時間が、割引時間データにより示される時間より長いと判定した場合、ステップＡ２３０において、店舗ＩＤデータに関連付けて記憶部１４に記憶されている割引率データを読み出す。この場合、車両は、割引の対象となる時間の全てにわたって駐車している。従って、制御部１１は、まず、割引時間データにより示される時間（即ち、割引を受けられる最大時間）の正規の駐車料金を計算し、この駐車料金に割引率を適用して、この割引時間中の時間に関しての駐車料金を計算する。
【００９１】
次に、制御部１１は、ステップＡ２００で計算した駐車時間から、割引時間データにより示される時間を減算し、その差の時間（割引時間外の時間）に関する割引を適用しない正規の駐車料金を計算する。そして、計算された割引時間中の駐車料金と、割引時間外の駐車料金とを加算する。
【００９２】
例えば、３０分の正規の駐車料金が３００円であり、駐車時間が３時間であり、割引の対象となる時間が２時間であり、割引率が５０％であるとする。その場合、制御部１１は、２時間（３０分×４）に関しては、（３００円×４）×０．５＝６００円と計算し、残りの１時間（３０分×２）に関しては、３００円×２＝６００円と計算する。その結果、駐車料金は１２００円（６００円＋６００円）と計算される。動作は、ステップＡ２３０からステップＡ２４０へ続く。
【００９３】
ステップＡ２４０において、制御部１１は、割引された駐車料金を請求する。即ち、割引された駐車料金を表示部１３に表示する。表示された金額が料金投入部１７から投入されると、制御部１１は、投入金額を確認し、投入金額が適正であれば発行部１８からレシートを発行し、駐車スペース番号データにより示される駐車スペースに設置された車止め装置４０の車止め板を下降させ、車両が駐車スペースから退出できるようにする。
【００９４】
駐車料金の割引を行う処理のフローチャートは、図７のステップＡ２４０で終了する。しかし、更に、ステップＡ２４０の処理に続いて、割り引いた金額を契約店舗側へ請求する処理を付加することも可能である。その場合、ステップＡ２４０の処理に続いて以下のステップ（ステップＡ２５０〜Ａ２７０）を行う。これらのステップは図示していない。
【００９５】
ステップＡ２５０において、制御部１１は、この駐車時間に対する正規（割引なし）の駐車料金と、割引後の駐車料金との差、即ち、割引いた金額（割引金額）を計算する。
【００９６】
ステップＡ２６０において、制御部１１は、ステップＡ１７０で入力された駐車スペース番号データと関連付けて記憶されれている店舗ＩＤデータとともに、割引金額を示すデータ、即ち、その契約店舗が負担する金額を示すデータ（負担駐車料金データ）を、記憶部１４に記憶する。その契約店舗に関連して、新たなユーザに対して新たに駐車料金の割引が行われた場合には、その割引金額を、負担駐車料金データにより示される金額に加算することにより、負担駐車料金データを更新する。
【００９７】
ステップＡ２７０において、制御部１１は、例えば、所定期間毎に、店舗側装置２０へ、負担駐車料金データを送信し、そのデータに示される金額を店舗側へ請求する。また、駐車場側装置１０の制御部１１は、駐車場側装置１０を制御可能な、駐車場運営側のコンピュータ（図示せず：例えば、駐車場の運営側の事務所等に配置する）に接続されている。駐車場側装置１０の制御部１１は、駐車場運営側のコンピュータから、請求した金額を契約店舗側から受け取ったことを示すデータと、契約店舗の店舗ＩＤデータとを受信すると、記憶部１４に記憶されたその店舗ＩＤデータと関連付けて記憶されている負担駐車料金データを削除する（または、負担駐車料金データとして０円を示すデータを記憶する）。
【００９８】
以上で、本発明の一実施形態の駐車場管理システムの契約店舗でサービスを受けたユーザに対して駐車料金の割引を行う動作は終了する。駐車場側装置１０の記憶部１４および店舗側装置２０の記憶部２４は、上記の動作を実行させるプログラムを記憶している。
【００９９】
店舗側装置２０での予約の処理
ここで、店舗側装置２０が駐車場側装置１０の送受信部１５から予約データを受信したときの動作について説明する。
【０１００】
まず、店舗側装置２０で用いられるデータについて説明する。上述のように、店舗側装置２０の記憶部２４は、予め、店舗の状況を示す店舗状況データを記憶している。例えば、契約店舗が飲食店の場合、店舗状況データは、店舗状況データ更新時点での、店内にいる客数のデータ（店内客数データ）、予約客を識別するデータ（予約客識別データ）、その予約客の予約時刻を示すデータ（予約開始時刻データ）、その予約客の客数を示すデータ（予約客数データ）、定員数データ、予約客の氏名、電話番号などを示すデータなどを記憶している。なお、これらのデータのうち、店内客数データと、予約開始時刻データおよび予約客数データと、定員数データとが、状況データとして店舗側装置２０から駐車場側装置１０へ送信される。
【０１０１】
予約開始時刻データが入力されると、予約終了時刻が計算され、予約開始時刻データと関連付けて記憶される。この例では、契約店舗は、予約客が店舗を２時間使用することを想定しているものとする。従って、例えば、或る客の予約開始時刻が午後７時である場合には、午後９時という予約終了時刻が計算される。予約人数が４人であるとすると、午後７時から午後９時まで４人の客が店内に居る予定であることを示すデータが記憶されることになる。
【０１０２】
また、予約客が来店した時点で、その予約客に対応する予約客数データで示される客数を、店内客数データで示される客数に加算することにより店内客数データを更新し、且つ、その予約客に対応する予約客識別データ、予約時刻データ、予約客数データを記憶部２４から削除する処理を行う。即ち、制御部２１は、入力部２２からの、予約客識別データと、店内客数データの更新を指示するデータと、予約客識別データおよび予約時刻データおよび予約客数データの削除を指示するデータとの入力に応答して、この処理を行う。また、店内にいる客が店舗から退出した時には、店内客数データで示される客数から退出した客数を減算する処理を行うことを指示するデータを入力し、記憶部２４に記憶している店内客数データを更新する。
【０１０３】
図８および図９は、駐車場側装置１０の送受信部１５から予約データを受信した店舗側装置２０の動作を示すフローチャートである。このフローチャートに基づいて、店舗側装置２０の予約動作を説明する。
【０１０４】
図８のステップＢ１０において、店舗側装置２０の送受信部２５は、駐車場側装置１０の送受信部１５から予約データを受信する。制御部２１は、受信した予約データのうちの予約時刻データ（受信予約時刻データ）と利用者数データ（受信利用者数データ）とを読み出す。
【０１０５】
ステップＢ２０において、制御部２１は、計時部２６から現在時刻を読み取る。制御部２１は、受信予約時刻データで示される予約時刻と現在時刻とを比較し、予約時刻が現在時刻から所定時間以内、例えば２時間以内であるか否かを判定する。２時間以内である場合には、ステップＢ３０へ進み、２時間より後であればステップＢ５０へ進む。
【０１０６】
ステップＢ３０において、制御部２１は、受信予約時刻データで示される時刻に基づいて、その時刻の前後に予約が入っているか否かを調べる。即ち、現在時刻から、受信予約時刻データで示される時刻の２時間後までの時刻を示す予約時刻データを、記憶部２４に記憶されている予約時刻データの中から読み出す。例えば、現在時刻が７時であり、受信予約時刻データが８時を示している場合には、７時から１０時までの間の時刻を示す予約開始時刻データを読み出す。そして、読み出されたそれぞれの予約時刻データに関連付けて記憶されているそれぞれの予約客数データを読み出す。動作はステップＢ４０へ続く。
【０１０７】
ステップＢ４０において、制御部２１は、ステップＢ３０において読み出したそれぞれの予約客数データにより表される予約客数を加算する。次に、制御部２１は、記憶部２４から、店内客数データを読み出し、現在時刻における店内の客数と、予約客数とを加算し、合計予定客数を計算する。なお、ここで計算される合計予定客数は、まだ来店していない予約客数と現在店舗内にいる客数とを含むので、店舗の定員数を越える場合がある。合計予約客数に店内の客数を含める理由は、予約時刻までの時間が短い場合には、現在店内に居る客がその予約時刻になっても退出していない可能性が高いからである。動作は、ステップＢ４０からステップＢ６０へ続く。
【０１０８】
他方、ステップＢ２０で、予約時刻が現在時刻から所定時間以内ではないと判定された場合には、ステップＢ５０において、制御部２１は、ステップＢ３０の場合と同様に、受信予約時刻データで示される時刻に基づいて、その時刻の前後に予約が入っているか否かを調べる。ここでは、受信予約時刻データで示される時刻の２時間前から２時間後までの時刻を示す予約時刻データを、記憶部２４に記憶されている予約時刻データの中から読み出す。例えば、現在時刻が５時であり、受信予約時刻データが８時を示している場合には、６時から１０時までの間の時刻を示す予約開始時刻データを読み出す。そして、読み出されたそれぞれの予約時刻データに関連付けて記憶されているそれぞれの予約客数データを読み出し、予約客数を加算し、これを合計予定客数とする。即ち、既に予約されている客数のみを計算する。合計予約客数に店内の客数を含めない理由は、予約時刻までの時間が長い場合には、現在店内に居る客がその予約時刻までに退出する可能性が高いからである。動作は、ステップＢ５０からステップＢ６０へ続く。
【０１０９】
ステップＢ６０において、制御部２１は、店舗の定員数から、ステップＢ４０またはＢ５０で計算された合計予約客数を減算し、空席数を求める。次に、制御部２１は、空席数から、受信利用者数データで示される利用者数を減算し、残り席数を求める。動作は図８のステップＢ６０から図９のステップＢ７０へ続く。
【０１１０】
図９のステップＢ７０において、制御部２１は、ステップＢ６０において計算された残り席数を検査する。残り席数が正の値または０である場合、ステップＢ８０へ進み、負の値である場合にはステップＢ９０へ進む。
【０１１１】
ステップＢ８０において、制御部２１は、受信した予約データを識別するための、即ち、予約客を識別するための識別データ（予約客識別データ）を生成し、その予約客識別データと、予約データに含まれているユーザの氏名、利用者数、予約時刻、電話番号、駐車スペース番号などを示すデータとを関連付けて記憶部２４に記憶する。更に、制御部２１は、新たに記憶されたこれらのデータと、これらのデータに基づいて更新および生成されたデータと、このデータを記憶する前から記憶されているデータとを含む店舗状況データから、駐車場側装置１０へ送信するための状況データを抽出する。そして、予約を受け付けた旨のメッセージを示すデータを記憶部２４から読み出し、そのデータに予約客識別データを付加し、状況データとともに、送受信部２５から通信回線３０を介して駐車場側装置１０へ送信する。
【０１１２】
なお、上述のように、駐車場側装置１０の制御部１１は、受信したデータを用いて記憶部１４に記憶されている状況データを更新する。
他方、ステップＢ７０で残り席数が負の値であると判定された場合、ステップＢ９０において、制御部２１は、受信した予約データを削除し、記憶部２４から、予約を受け付られない旨のメッセージを示すデータを読み出し、送受信部２５および通信回線３０を介して、駐車場側装置１０へ送信する。
【０１１３】
以上で、店舗側装置２０が駐車場側装置１０の送受信部１５から予約データを受信したときの動作を終了する。また、予約データは、駐車場側装置１０から受信して記憶するのみならず、店舗側装置２０の入力部２２から入力することもできる。店舗側装置２０の記憶部２４は、上記の動作を実行させるためのプログラムを記憶している。
【０１１４】
２．  第２の実施形態
第１の実施形態では、各駐車スペースに車止め装置を設置した駐車場における例を示したが、本発明の駐車場システムは他の形態の駐車場にも適用可能である。例えば、駐車場の各駐車スペースに車止め装置を配置せずに、駐車場の出入口に駐車料金精算装置と、開閉するゲートとを配置した駐車場にも本発明を適用できる。
【０１１５】
そのような駐車場へ車両を駐車したユーザが、その駐車場と契約しているサービス提供側が提供するサービスを受けるための予約を駐車場から行い、そのサービス提供側のサービスを受けた後に駐車料金の割引を受けるようにする構成を説明する。
【０１１６】
第２の実施形態の駐車場管理システムの基本的構成は、第１の実施形態のものと同様であるが、車止め装置に関連する構成は備えていない。それに代わり、駐車場側装置１０には、データを記録可能な駐車券を発行する駐車券発行手段と、駐車券に記録されたデータを読み取る読取手段と、駐車券にデータを記録する記録手段とを備える。店舗側装置２０には、駐車券に店舗ＩＤデータおよび消費金額データを記録する記録手段を備える。
【０１１７】
次に、ユーザがこのような駐車場を利用する時の駐車場側装置１０の動作を簡単に説明する。
ユーザの車両が駐車場の出入口（入口）に停車すると、駐車場側装置１０の駐車券発行手段は、記録手段を用いて駐車券に現在時刻（駐車開始時刻データ）を記録し、発行する。ユーザが駐車券を受け取ると、ゲートを開く。駐車場側装置１０は、車両がゲートを通過したことを検知するとゲートを閉じる。その後の処理は、第１の実施形態におけるステップＡ１０〜Ａ８０の処理と同様である。ただし、ステップＡ６０において表示される予約フォームには、駐車スペース番号を入力する欄は含まれず、従って、駐車スペース番号データは店舗側装置２０へ送信されない。
【０１１８】
ユーザが契約店舗で所定金額以上の金額を使用した場合に、所定時間に関して駐車料金を割引くようにする処理は、以下のようである。
駐車場側装置１０の記憶部１４には、店舗ＩＤデータと、駐車料金の割引を受けるために契約店舗で最低限消費せねばならない金額（基準金額データ）と、駐車料金の割引を行う時間の長さ（割引時間データ）と、割引対象の時間中の割引率（割引率データ）とのデータを関連付けて記憶している。
【０１１９】
ユーザに対してサービスを提供した契約店舗側の人員は、店舗側装置２０の記憶部２４に記憶されている駐車料金割引用のプログラムを呼び出し、駐車料金割引用の入力フォームを生成させて表示部２３に表示させる。入力フォームは、その契約店舗で使った金額（消費金額データ）を入力する欄を含む。契約店舗側の人員はデータを入力フォームを介して入力する。
【０１２０】
契約店舗側の人員は、ユーザの持参した駐車券を、駐車券に店舗ＩＤデータおよび消費金額データを記録する記録手段へ挿入する。制御部２１は、入力された消費金額データと店舗ＩＤデータとを、記録手段を用いて駐車券に記録する。記録後に、契約店舗側の人員は、駐車券を記録手段から取り出してユーザに渡す。
【０１２１】
駐車場から車両を退出させようとするユーザは、出入口（出口）で、駐車場側装置１０の入力部１２の駐車料金支払モードを選択するためのボタンを押す。駐車料金支払モードにおいて、制御部１１は、表示部１３に、駐車券を読取手段へ挿入することを指示するメッセージを表示する。ユーザは、読取手段へ駐車券を挿入する。
【０１２２】
駐車場側装置１０の制御部１１は、読取手段が駐車券から読み取ったデータ中に店舗ＩＤが含まれていないと判定した場合、従来の駐車料金精算装置と同様の動作を行う。即ち、駐車券に記録された時刻と現在時刻とに基づいて、正規の駐車料金を計算して表示部１３に表示する。表示された金額が料金投入部１７から投入されると、投入金額を確認し、投入金額が適正であれば発行部１８からレシートを発行し、ゲートを開き、車両が駐車場から退出できるようにし、その後にゲートを閉じる。
【０１２３】
他方、駐車券から読み取ったデータに店舗ＩＤが含まれていると判定した場合、駐車券に記憶されている駐車開始時刻データを読み出し、計時部１６から現在時刻データを読み出し、これらのデータに基づいて、駐車時間を計算する。次に、記憶部１４に記憶されている店舗ＩＤデータのうちの、駐車券に記録された店舗ＩＤデータと同じ店舗ＩＤデータに関連付けて記憶部１４に記憶されている割引時間データを読み出す。この後の駐車料金の計算の処理は、第１の実施形態のステップＡ２１０〜Ａ２３０の処理と同じである。制御部１１は、駐車料金が投入されるとゲートを開き、車両が駐車場から退出できるようにし、その後にゲートを閉じる。また、上記のステップの後に、第１の実施形態のステップＡ２５０〜Ａ２７０を付加することもできる。
【０１２４】
３．  本発明の第３の実施形態
本発明の駐車場システムの第３の実施形態では、第１の実施形態における処理のステップＡ８０に続いて行うことができる、契約店舗でサービスを受けたユーザに対して駐車料金の割引を行う処理の別の例を示す。
【０１２５】
図１０、図１１および図１２は、本発明の第３の実施形態の駐車場管理システムの契約店舗でサービスを受けたユーザに対して駐車料金の割引を行う動作を示すフローチャートである。図１０と図１１と図１２とは連続している。図１０のスタートから始まる処理は、図４のエンドから続く処理とすることができる。
【０１２６】
この例では、ユーザが１以上の契約店舗で使用した金額の合計が所定金額以上である場合に、所定時間について駐車料金を割引く処理を行う。その所定金額、所定時間および割引率は予め決定されている。従って、この例では、駐車場側装置１０の記憶部１４に、駐車料金の割引を受けるために契約店舗で最低限消費せねばならない金額（基準金額データ）と、駐車料金の割引を行う時間の長さ（割引時間データ）と、割引対象の時間中の割引率（割引率データ）とのデータを関連付けて記憶している。なお、この例では、基準金額データにより表される金額は、１以上の契約店舗で消費した金額の合計の最低限度を定めるものである。
【０１２７】
ステップＣ１０において、ユーザに対してサービスを提供した契約店舗側は、店舗側装置２０の記憶部２４に記憶されている駐車料金割引用のプログラムを呼び出し、入力フォームを介して、ユーザの車両を駐車した駐車スペースを識別するデータ（駐車スペース番号データ）と、その契約店舗で使った金額（消費金額データ）とを入力する。
【０１２８】
ステップＣ２０において、制御部２１は、入力部２２から入力された駐車スペース番号データと、消費金額データとを、店舗ＩＤデータと共に、駐車場側装置１０へ送信する。
【０１２９】
ステップＣ３０において、駐車場側装置１０の送受信部１５が、店舗ＩＤデータ、駐車スペース番号データ、および消費金額データを受信する。
ステップＣ４０において、制御部１１は、記憶部１４に記憶されている店舗ＩＤデータのうちの、店舗側装置２０から受信した店舗ＩＤデータと同じ店舗ＩＤデータに、駐車スペース番号データと消費金額データとを関連付けて記憶する。
【０１３０】
それぞれの契約店舗の店舗側装置において、ステップＣ１０からステップＣ４０の動作が行われる。図１０では、他の店舗側装置から駐車場側装置１０へのデータ入力のステップについては、簡略化して、ステップＣ２０とステップＣ３０との間に「他の店舗側装置から駐車場側装置１０へのデータ入力」と表している。従って、駐車場側装置１０の記憶部１４には、１以上の契約店舗から受信した店舗ＩＤデータと、駐車スペース番号データと、消費金額データとが記憶されている。
【０１３１】
例えば、ユーザは、契約店舗Ａで５０００円、契約店舗Ｂで３０００円、契約店舗Ｃで２０００円消費したものとする。この場合、記憶部１４には、駐車スペース番号データと関連付けて、契約店舗Ａ、Ｂ、Ｃのそれぞれの店舗ＩＤデータが記憶され、かつ、契約店舗Ａの店舗ＩＤデータと関連付けて５０００円を示す消費金額データが記憶され、契約店舗Ｂの店舗ＩＤデータと関連付けて３０００円を示す消費金額データが記憶され、契約店舗Ｃの店舗ＩＤデータと関連付けて２０００円を示す消費金額データが記憶される。動作は、図１０のステップＣ４０から図１１のステップＣ５０へ続く。
【０１３２】
図１１のステップＣ５０において、駐車場から車両を退出させようとするユーザは、駐車場側装置１０の入力部１２のモード切替ボタンのうちの、駐車料金支払モードを選択するためのボタンを押す。制御部１１は、駐車料金支払モードに切り替える信号を受信する。駐車料金支払モードにおいて、制御部１１は、表示部１３に、駐車スペース番号データを入力部１２から入力することを指示するメッセージを表示する。ユーザは、入力部１２から駐車スペース番号を入力する。
【０１３３】
ステップＣ６０において、制御部１１は、入力された駐車スペース番号データに基づいて、その駐車スペース番号データと関連付けて記憶されている消費金額データを読み出し、それらを加算して合計消費金額を求める。
【０１３４】
ステップＣ７０において、制御部１１は、ステップＣ６０で計算した合計消費金額と、予め記憶部１４に記憶している基準金額データにより表される金額とを比較し、合計消費金額が、基準金額データにより示される基準金額以上であるか否かを判定する。制御部１１が、合計消費金額が基準金額より低いと判定した場合、動作はステップＣ８０へ進む。基準金額以上であると判定した場合、動作はステップＣ９０へ進む。
【０１３５】
ステップＣ８０において、制御部１１は、合計消費金額が駐車料金の割引を受けるための基準金額に達していない旨のメッセージを示すデータを記憶部１４から読み出し、表示部１３に表示する。そして、駐車場側装置１０は、従来の駐車料金精算装置と同様の動作を行う。即ち、制御部１１は、正規の駐車料金を計算して表示部１３に表示する。表示された金額が料金投入部１７から投入されると、投入金額を確認し、投入金額が適正であれば発行部１８からレシートを発行し、駐車スペース番号データにより示される駐車スペースに設置された車止め装置４０の車止め板を下降させ、車両が駐車スペースから退出できるようにする。その後、駐車場側装置１０はこの処理を終了する（図１２のエンドへ進む）。
【０１３６】
他方、ステップＣ７０で、合計消費金額が基準金額に達していたと判定された場合、ステップＣ９０において、制御部１１は、その駐車スペース番号データと関連付けて記憶部１４に記憶されている駐車開始時刻データを読み出し、計時部１６から現在時刻データを読み出し、これらのデータに基づいて、駐車時間を計算する。次に、制御部１１は、記憶部１４に記憶されている割引時間データを読み出す。動作は図１１のステップＣ９０から図１２のステップＣ１００へ続く。
【０１３７】
ステップＣ１００は、上記のステップＡ２１０と同様である。即ち、割引時間データにより示される時間と、駐車時間とを比較し、駐車時間が割引データにより示される時間以内である場合はステップＣ１１０へ進み、割引データにより示される時間より長い場合はステップＣ１２０へ進む。
【０１３８】
ステップＣ１１０において、制御部１１は、駐車時間が、割引を受けられる最大時間以内の場合の駐車料金を計算する。制御部１１は、記憶部１４に記憶されている割引率データを読み出す。制御部１１は、駐車時間の正規の駐車料金を計算し、この駐車料金に割引率を適用して、割引後の駐車料金を計算する。動作は、ステップＣ１１０からステップＣ１３０へ続く。
【０１３９】
他方、ステップＣ１００で、駐車時間が割引時間より長いと判定された場合、ステップＣ１２０において、記憶部１４に記憶されている割引率データを読み出す。制御部１１は、まず、割引時間データにより示される時間の正規の駐車料金を計算し、この駐車料金に割引率を適用して、この割引時間中の時間に関しての駐車料金を計算する。次に、駐車時間から、割引時間データにより示される時間を減算し、その差の時間（割引時間外の時間）に関する正規の駐車料金を計算する。そして、計算された割引時間中の駐車料金と、割引時間外の駐車料金とを加算する。動作は、ステップＣ１２０からステップＣ１３０へ続く。
【０１４０】
ステップＣ１３０は、上記のステップＡ２４０と同様である。即ち、制御部１１は、割引を含む駐車料金を表示部１３に表示する。表示された金額が料金投入部１７から投入されると、投入金額を確認し、投入金額が適正であれば発行部１８からレシートを発行し、駐車スペース番号データにより示される駐車スペースに設置された車止め装置４０の車止め板を下降させ、車両が駐車スペースから退出できるようにする。
【０１４１】
ステップＣ１４０において、制御部１１は、この駐車時間に対する正規（割引なし）の駐車料金と、割引後の駐車料金との差、即ち、割引いた金額を計算する。次に、制御部１１は、ステップＣ５０で入力された駐車スペース番号データに関連付けられている店舗ＩＤデータと消費金額データとを記憶部１４から読み出し、このユーザが各契約店舗で消費した金額の比率を計算する。制御部１１は、この比率を、割引いた金額に適用して、各契約店舗の負担分を計算する。
【０１４２】
例えば、上述の例のように、ユーザは、契約店舗Ａで５０００円、契約店舗Ｂで３０００円、契約店舗Ｃで２０００円消費したものとする。また、３０分の正規の駐車料金が３００円であり、駐車時間が３時間であり、割引の対象となる時間が２時間であり、割引率が５０％であるとする。
【０１４３】
この場合、２時間の駐車料金に割引が適用され、割引いた金額は、（３００円×４）×（１−０．５）、即ち、６００円と計算される。各契約店舗の負担の比率は、契約店舗Ａ：契約店舗Ｂ：契約店舗Ｃ＝５０００：３０００：２０００＝５：３：２となるので、それぞれの店舗の負担分は、契約店舗Ａが３００円（６００×５／１０）、契約店舗Ｂが１８０円（６００×３／１０）、契約店舗Ｃが１２０円（６００×２／１０）と計算される。
【０１４４】
ステップＣ１５０において、制御部１１は、各契約店舗の店舗ＩＤデータと関連付けて、その店舗が負担する金額を示すデータ（負担駐車料金データ）を記憶部１４に記憶する。
【０１４５】
この駐車場の同じ駐車スペースに後に別の車両が駐車された場合や、駐車場内の別の駐車スペースに車両が駐車された場合にも、上記のステップＣ１０〜Ｃ１４０の処理が行われる。そして、それらの車両の駐車に関して、負担駐車料金データが生成された場合には、関連するそれぞれの店舗ＩＤデータごとに、その負担駐車料金データで示される金額と、以前に記憶された負担駐車料金データで示される金額とを加算することにより、負担駐車料金データを更新する。
【０１４６】
制御部１１は、例えば、所定期間毎に、それぞれの店舗側装置２０へ、負担駐車料金データを送信し、そのデータに示される金額を店舗側へ請求する。また、駐車場側装置１０の制御部１１は、駐車場側装置１０を制御可能な、駐車場運営側のコンピュータ（図示せず）に接続されている。駐車場側装置１０の制御部１１は、請求した金額を契約店舗側からを受け取ったことを示すデータと、その契約店舗の店舗ＩＤデータとを、駐車場運営側のコンピュータから受信すると、店舗ＩＤデータと関連付けて記憶部１４に記憶された負担駐車料金データを削除する（または、負担駐車料金データとして０円を示すデータを記憶する）。
【０１４７】
以上で、本発明の一実施形態の駐車場管理システムの１以上の契約店舗でサービスを受けたユーザに対して駐車料金の割引を行う動作は終了する。駐車場側装置１０の記憶部１４および店舗側装置２０の記憶部２４は、上記の動作を実行させるためのプログラムを記憶している。
【０１４８】
４．  第４の実施形態
上記の第３の実施形態では、ユーザが利用した店舗側装置２０から、店舗ＩＤデータ、駐車スペース番号データ、および消費金額データを、通信回線３０を介して駐車場側装置１０へ送信するように構成した。しかし、別の例として、記録媒体に店舗ＩＤデータ、駐車スペース番号データ、および消費金額データを記録して、その記録媒体を駐車場側装置１０と店舗側装置２０との間で搬送する構成も可能である。この場合、例えば、駐車場側装置１０に、データを記録可能な駐車券（例えば、磁気記録媒体を片面に塗布した駐車券）を発行する駐車券発行手段と、駐車券に記録されたデータを読み取る読取手段と、駐車券にデータを記録する記録手段とを設ける。店舗側装置２０には、駐車券に店舗ＩＤデータおよび消費金額データを記録する記録手段を備える。
【０１４９】
このようなシステムの動作を簡単に説明する。ユーザが駐車スペースに車両を駐車すると、駐車場側装置１０の制御部１１は、駐車券に、記録手段を用いて駐車スペースを識別する駐車スペース番号データを記録して、駐車券発行手段から発行させる。ユーザは、利用する契約店舗へ駐車券を持って行き、契約店舗でのサービスを受けた後に、契約店舗側へ渡す。契約店舗側は、店舗側装置２０の記録手段を用いて、駐車券に、店舗ＩＤデータおよび消費金額データを記録してユーザに渡す。ユーザは、更に別の契約店舗を利用した場合、そのサービスを受けた後に、上記同様に、その駐車券に、その契約店舗の店舗ＩＤデータおよび消費金額データを記録させる。ユーザは、駐車場から車両を退出させるときに、駐車場側装置１０の読取手段へ駐車券を挿入する。この駐車券には、駐車スペース番号データ、１以上の店舗ＩＤデータ、各店舗ＩＤデータに関連付けられた消費金額データが記録されている。読取手段は、これらのデータを読み出し、上記のステップＣ６０以降で行うステップと類似のステップを行う。即ち、第３の実施形態においては、駐車スペース番号データに関連して記憶される１以上の店舗ＩＤデータと、各店舗ＩＤデータに関連付けられた消費金額データとを、店舗側装置２０から受信して記憶部１４に記憶するが、この例では、これらのデータを駐車券から読み出して記憶部１４に記憶する。
【０１５０】
また、第４の実施形態の構成を一部変更して、第２の実施形態において説明した形態の駐車場（出入口に駐車料金精算装置と、開閉するゲートとを配置した駐車場）に適用することもできる。その場合の構成は、第２の実施形態の構成と類似であるが、駐車券に１以上の店舗ＩＤデータおよび消費金額データが記録されることと、割引を適用するか否かの判定の際に、駐車券に記録された消費金額の合計額と基準金額とが比較されることと、駐車券に駐車スペース番号を記録する必要がないこととが異なる。
【０１５１】
５．  本発明の第５の実施形態
本発明の第５の実施形態の駐車場管理システムを、駐車料金精算装置と車止め装置とを備えた駐車場において使用する場合の例について説明する。本発明の駐車場管理システムの第５の実施形態は、サービス提供側（契約店舗）が駐車場の駐車スペースの予約を行える構成を備える。第５の実施形態の駐車場側の装置および店舗側の装置の基本的な構成は、図１に示す駐車場側装置１０および店舗側装置２０と同様であるが、駐車場側装置１０および店舗側装置２０を動作させるプログラムが異なる。
【０１５２】
図１３、図１４および図１５は、本発明の第５の実施形態の駐車場管理システムの店舗側装置２０から駐車場の駐車スペースを予約する動作を示すフローチャートである。図１３と図１４と図１５とは連続している。
【０１５３】
次に、図１３、図１４および図１５を参照して第５の実施形態の駐車場管理システムの、店舗側装置２０から駐車場の駐車スペースを予約する動作について説明する。なお、以下の処理は、契約店舗側がユーザから申し込まれた予約を受け付けると決定した場合に行われる処理である。
【０１５４】
ステップＤ１０において、店舗側装置２０の送受信部２５は、ユーザの装置（図示せず）から予約データを受信する。ユーザの装置（ユーザ側装置）は、店舗側装置２０とデータの通信を行う機能を備えた装置であればよく、例えば、携帯電話やコンピュータなどである。また、店舗側装置２０の入力部２２から、店舗側装置２０のオペレータによっても予約データを入力することができる。この予約データは、上記の第１の実施形態における予約データと同様のデータを含む。
【０１５５】
制御部２１は、送受信部２５で受信した又は入力部２２から入力された予約データのうちの予約時刻データ（受信予約時刻データ）を読み出す。なお、契約店舗が客（ユーザ）からの予約の申し込みを受け付けるか否かの決定は、例えば、上記第１の実施形態のステップＢ１０〜Ｂ９０の処理と同様の処理により行うことができる。
【０１５６】
ステップＤ２０において、店舗側装置２０の制御部２１は、駐車スペースの確保（予約）の開始時刻および終了時刻を決定する。例えば、契約店舗側が、時間的余裕を考慮して、予約開始時刻の１０分前から駐車場の駐車スペースを３０分間確保すると定めているものとする。その場合、制御部２１は、記憶部２４に記憶されたプログラムに基づいて、受信予約時刻データにより示される時刻から１０分減算した時刻（駐車予約開始時刻データ）と、その時刻に３０分加算した時刻（駐車予約終了時刻データ）とを計算し、記憶部２４に記憶する。
【０１５７】
なお、駐車予約開始時刻データにより示される時刻の基準単位は任意に設定できるが、この例では基準単位を５分とする。即ち、予約開始時刻は、例えば、５時００分、５時２５分などと設定することができるが、５時２２分などと設定することができないものとする。
【０１５８】
ステップＤ３０において、制御部２１は、この契約店舗の店舗ＩＤデータと、駐車予約開始時刻データと、駐車予約終了時刻データとを記憶部２４から読み出し、送受信部２５および通信回線３０を介して、駐車場側装置１０へ送信する。
【０１５９】
ステップＤ４０において、駐車場側装置１０の送受信部１５が店舗ＩＤデータ、駐車予約開始時刻データ、および駐車予約終了時刻データを受信すると、制御部１１は、これらのデータを関連付けて記憶部１４へ記憶する。次に、制御部１１は、この駐車スペースの予約を識別するデータ（駐車予約識別データ）を生成し、受信したデータと関連付けて記憶する。駐車予約識別データは、例えば、暗証番号のような０から９までの数字を含む数桁の番号とすることができる。
【０１６０】
ステップＤ５０において、制御部１１は、駐車予約識別データと、駐車予約開始時刻データにより示される時刻に駐車スペースの確保を試みる旨のメッセージを示すデータとを、記憶部１４から読み出し、送受信部１５および通信回線３０を介して、店舗ＩＤデータにより識別される店舗側装置２０へ送信する。
【０１６１】
ステップＤ６０において、駐車場側装置１０からメッセージデータおよび駐車予約識別データを受信した店舗側装置２０の制御部２１は、これらのデータを記憶部２４に記憶する。そして、制御部２１は、受信したメッセージデータと同様のメッセージデータと、駐車予約識別データとを、ユーザ側装置へ送信する。なお、ユーザ側へのメッセージデータおよび駐車予約識別データの送信方法は任意であり、コンピュータ読取可能なデータを送信する方法以外の方法として、例えば、電話やファクシミリを用いる方法もある。
【０１６２】
ステップＤ７０において、駐車場側装置１０の制御部１１は、所定時間間隔で計時部１６から現在時刻を読み出す。この例では、駐車予約開始時刻データにより示される時刻の基準単位が５分であるので、５分間隔で現在時刻を読み出す。制御部１１は、駐車予約開始時刻データの中に、現在時刻と同じ時刻を示す駐車予約開始時刻データが有るか否かを検査し、有る場合、ステップＤ８０へ進み、駐車スペースを確保するための動作を開始する。無い場合、先のステップへは進まない。制御部１１は５分毎にこのステップの動作を反復する。
【０１６３】
ステップＤ８０において、制御部１１は、各駐車スペースに関連するデータを記憶部１４から読み出す。即ち、制御部１１は、それぞれの駐車スペースの番号を識別するデータ（駐車スペース番号データ）と、その駐車スペース番号データに関連付けられている、車両が駐車中であるか否かを示すデータ（駐車スペース状態データ）とを読み出す。動作は、図１３のステップＤ８０から図１４のステップＤ９０へ続く。
【０１６４】
ステップＤ９０において、制御部１１は、駐車スペース番号データと、駐車スペース状態データとに基づいて、駐車スペースが空いているか否かを判定する。即ち、制御部１１が、全ての駐車スペース番号データに関して、関連する駐車スペース状態データが車両が駐車中であることを示すと判定した場合、即ち、空いている駐車スペースが無いと判定した場合には、動作はステップＤ１００へ進む。１以上の駐車スペース番号データに関して、関連する駐車スペース状態データが車両が駐車していないことを示すと判定した場合、即ち、空いている駐車スペースが有ると判定した場合には、動作はステップＤ１２０へ進む。
【０１６５】
ステップＤ１００において、駐車場側装置１０の制御部１１は、駐車予約開始時刻データにより示される時刻に駐車スペースの確保ができない旨およびこの予約に関連するデータ（駐車予約識別データ、駐車予約開始時刻データ、および駐車予約終了時刻データ）を削除する旨のメッセージを示すデータを、記憶部１４から読み出し、かつ、この予約に関連するデータを記憶部１４から削除する。制御部１１は、このメッセージデータを、店舗ＩＤデータにより識別される店舗側装置２０へ送信する。動作はステップＤ１００からステップＤ１１０へ続く。
【０１６６】
ステップＤ１１０において、店舗側装置２０の制御部２１は、受信したメッセージデータと同様のメッセージを含むデータをユーザ側装置へ送信する。ステップＤ１１０の後、この処理は終了する。
【０１６７】
他方、ステップＤ９０で駐車スペースが空いていると判定された場合、ステップＤ１２０において、駐車場側装置１０の制御部１１は、空いている駐車スペースを１つ選択する。この選択方法は任意である。そして、制御部１１は、駐車スペースを確保できたことを示すデータ（駐車スペース確保データ）を作成し、駐車スペース番号データに関連付けて記憶する。なお、この例では、駐車スペース確保データは、この駐車スペースにユーザの車両が駐車された際の処理において削除されるものとする（ステップＤ１９０を参照）。
【０１６８】
ステップＤ１３０において、制御部１１は、選択した空車の駐車スペースの車止め装置４０へ、車止め板を上昇させる信号を送信する。車止め板が上昇すると、車両は駐車スペースへ入れなくなる。従って、その駐車スペースを確保することができる。
【０１６９】
この時、この駐車スペースの車止め装置４０のセンサは、車両が駐車されていないことを示す信号を出力し、制御部１１はその信号を受信する。しかし、駐車スペースの予約を行う処理により選択された駐車スペースに関しては、その駐車スペース番号データに駐車スペース確保データが関連付けて記憶されている。制御部１１は、駐車スペース確保データが関連付けて記憶されている場合には、その駐車スペースへ車両を侵入させるために車止め装置４０の車止め板を下降させるまで、その車止め装置４０のセンサからの信号を無視する。更に、制御部１１は、その駐車スペース番号データに、車両が駐車していることを示す駐車スペース状態データを関連付けて記憶部１４に記憶する（実際には車両は駐車されていない）。
【０１７０】
即ち、この時点で、この駐車スペースに関しては、記憶部１４に、駐車スペース番号データと、車両が駐車していることを示す駐車スペース状態データと、駐車スペース確保データと、駐車予約開始時刻データと、駐車予約終了時刻データと、ユーザが使用する予定の契約店舗の店舗ＩＤデータと、駐車予約識別データとが、関連付けて記憶されている。
【０１７１】
ステップＤ１４０において、駐車場側装置１０の制御部１１は、所定時間間隔で計時部１６から現在時刻を読み出す。制御部１１は、各駐車スペースに関連するデータのうちの、駐車スペース確保データと、駐車予約終了時刻データとを読み出す。駐車スペース確保データが削除されていないということは、ユーザの車両が未だ駐車スペースに駐車されていないということである。
【０１７２】
制御部１１は、駐車スペース確保データと関連付けて記憶されている駐車予約終了時刻データの中に、現在時刻と同じ時刻を示す駐車予約終了時刻データが有るか否かを検査し、有る場合、図１５のステップＤ１５０へ進み、駐車スペースの確保を解除するための動作を開始する。無い場合、所定時間間隔でこの動作を反復する。また、確保されている駐車スペースへユーザが車両を駐車する場合には、図１５のステップＤ１７０へ進む。
【０１７３】
ステップＤ１５０において、駐車場側装置１０の制御部１１は、駐車スペースを確保しておく時間が満了したので駐車スペースの予約を解除する旨のメッセージを示すデータを、記憶部１４から読み出し、店舗ＩＤデータにより識別される店舗側装置２０へ送信する。
【０１７４】
また、駐車場側装置１０は、駐車スペースに関して、確保しておいた時間分の駐車料金を契約店舗側へ請求するためのデータを作成する。例えば、駐車予約開始時刻データにより示される時刻から、駐車予約終了時刻データにより示される時刻までの間の時間の駐車料金を計算し、店舗ＩＤデータと関連付けて記憶部１４に記憶しておき、定期的に駐車場運営側のコンピュータ（図示せず）へ送信するようにする。駐車場運営側は、その運営側のコンピュータに記憶されたデータに基づいて、契約店舗側へ定期的に料金を請求する。動作はステップＤ１５０からステップＤ１６０へ続く。
【０１７５】
ステップＤ１６０において、店舗側装置２０の制御部２１は、受信したメッセージデータと同様のメッセージを含むデータをユーザ側装置へ送信する。ステップＤ１６０の後、この処理は終了する。
【０１７６】
他方、駐車予約終了時刻データにより示される時刻までに、ユーザの車両を駐車スペースへ駐車する場合、動作はステップＤ１４０からステップＤ１７０へ進み、ステップＤ１７０において、ユーザは、駐車場側装置１０の入力部１２から、駐車予約識別データを入力する。制御部１１は、入力部１２から駐車予約識別データを受信すると、この駐車予約識別データと関連付けて記憶されている駐車スペース番号データを読み出し、この駐車スペース番号データにより識別される駐車スペースの車止め装置４０へ、車止め板を下降させる信号を送信する。車止め板が下降すると、車両は駐車スペースへ侵入できるようになり、従って、ユーザはその確保されていた駐車スペースへ車両を駐車できるようになる。
【０１７７】
ステップＤ１８０において、制御部１１は、読み出した駐車スペース番号データにより示される駐車スペース番号を表示部１３に表示し、かつ、その駐車スペース番号の駐車スペースへ車両を駐車することをユーザに指示するメッセージデータを記憶部１４から読み出して表示部１３に表示する。
【０１７８】
ステップＤ１９０において、制御部１１は、この駐車スペース番号データに関連付けて記憶されている一部のデータを更新する。即ち、制御部１１は、駐車スペース状態データを、車両が駐車していないことを示すように変更する。駐車スペース確保データ、および駐車予約終了時刻データは削除する。
【０１７９】
このステップにおいて、この駐車スペースが確保されていることを示す駐車スペース確保データが削除されることにより、駐車場が確保されていない場合と同じ状態になるので、以下のステップＤ２００において、駐車場側装置１０は、第１の実施形態のステップＡ１０の処理の説明の前に説明した動作と同様の動作を行う。
【０１８０】
ステップＤ２００において、ユーザが、表示部１３に表示されたメッセージにより示された駐車スペースへ車両を駐車すると、その駐車スペースの車止め装置４０のセンサが、車両が駐車されたことを検知する。車止め装置４０は、車両が駐車中であることを示す駐車スペース状態データと、その駐車スペースの駐車スペース番号データとを含む信号を、駐車場側装置１０の制御部１１へ送信する。
【０１８１】
制御部１１は、その信号を車止め装置４０から受信すると、計時部１６から現在時刻を読み出し、その時刻を示すデータ（駐車開始時刻データ）と、駐車スペース状態データと、駐車スペース番号データとを、関連付けて記憶部１４に記憶する。制御部１１は、車止め装置４０から受信した信号に応答して、その車止め装置４０の車止め板を上昇させる信号を、車止め装置４０へ送信する。車止め板が上昇すると、車両は駐車スペースから退出できないようになる。
【０１８２】
この時点で、この駐車スペースに関しては、記憶部１４に、駐車スペース番号データと、車両が駐車していることを示す駐車スペース状態データと、駐車開始時刻データと、駐車予約開始時刻データと、ユーザが使用する予定の契約店舗の店舗ＩＤデータと、駐車予約識別データとが、関連付けて記憶されている。
【０１８３】
なお、この例では、駐車予約開始時刻データにより示される時刻から、駐車開始時刻データにより示される時刻までの間の時間（確保しておいた時間）の駐車料金を契約店舗側へ請求するものとする。
【０１８４】
ステップＤ２１０において、制御部１１は、この駐車スペースに関して、契約店舗側が確保しておいた時間に対して（駐車予約開始時刻データにより示される時刻から、駐車開始時刻データにより示される時刻までの間の時間）の駐車料金を契約店舗側へ請求するためのデータを作成する。制御部１１は、駐車予約開始時刻データにより示される時刻から、駐車開始時刻データにより示される時刻までの間の時間の駐車料金を計算し、店舗ＩＤデータと関連付けて記憶部１４に記憶しておき、定期的に駐車場運営側のコンピュータ（図示せず）へ送信する。駐車場の運営側は、そのコンピュータに記憶されたデータに基づいて、契約店舗側へ定期的に料金を請求する。また、制御部１１は、駐車スペース番号データに関連付けて記憶されている駐車予約開始時刻データを削除する。
【０１８５】
ユーザが駐車スペースから車両を退出させる際の動作は、上記の実施形態の場合と同様である。
以上で、本発明の一実施形態の駐車場管理システムの、契約店舗側から駐車場の駐車スペースの予約を行う動作は終了する。駐車場側装置１０の記憶部１４および店舗側装置２０の記憶部２４は、上記の動作を実行させるためのプログラムを記憶している。
【０１８６】
６．  その他の実施形態
上記の実施形態において、予約を取り消すための構成を備えることも可能である。その構成の一例を説明する。上記の第１の実施形態では、店舗側装置２０は、予約客を識別するデータ（予約客識別データ）を生成し、予約に関するデータと関連付けて記憶している。ユーザは、その予約客識別データを記録している。ユーザは、予約完了後にその予約を取り消したい場合、駐車場側装置１０の入力部１２から、予約客識別データと、予約の取り消しを示すデータとを入力する。駐車場側装置１０は、入力されたデータを店舗側装置２０へ送信する。店舗側装置２０は、それらのデータを受信すると、その予約客識別データと関連付けて記憶されている予約に関するデータを記憶部２４から削除する。また、店舗側装置２０は、その予約に関するデータを、記憶されている店舗状況データから削除することにより店舗状況データを更新し、その更新した店舗状況データから、駐車場側装置１０へ送信するための状況データを抽出して駐車場側装置１０へ送信する。駐車場側装置１０は、受信した状況データに基づいて、記憶部１４に記憶されている状況データを更新する。
【０１８７】
上記の実施形態では、契約店舗予約モードにおいて、タッチパネル部１９を用いてデータを入力する構成としたが、表示部１３に表示されるアイコンやボタンに対応する物理的な入力部（例えば、キーボード形式の入力部や、各機能に対応する個別のボタンなど）を備えることもできる。また、上記の実施形態における物理的な入力部１２に備えられているボタンの全てまたは幾つかを、表示部１３に表示される初期画面やその他の画面に表示し、タッチパネル部１９から操作できるように構成することもできる。
【０１８８】
上記の実施形態では、ユーザに対しての指示などは、表示部１３に表示するのみであるが、別の例として、画像表示の代わりに、または画像表示とともに、音声を用いることも可能である。その場合には、駐車場側装置１０にスピーカを設け、それぞれの指示を音声データとして記憶部１６に記憶しておき、上記の実施形態において表示部１３に指示を表示するタイミングで、音声データを読み出してスピーカから出力するようにする。
【０１８９】
上記の実施形態に、駐車場側装置１０の記憶部１６に、契約店舗の宣伝のための画像データや音声データを記憶しておき、所定のタイミングで、画面データを表示部１３で表示したり、音声データをスピーカから出力したりする構成を追加することもできる。例えば、ユーザが、駐車場側装置１０のモード切替ボタンを操作して広告情報表示モードに切り替えたときに、画像データや音声データを出力するように構成する。また、それ以外の画面データや音声データの出力の可能なタイミングとしては、例えば、ユーザが駐車料金を支払う時、誰も駐車場側装置１０を使用していない時などがあるが、そのタイミングは任意に設定できる。また、駐車場側装置１０に、所定距離内に物体が近づくとそれを検知するセンサを設け、そのセンサに応答して画面データや音声データを出力するように構成することもできる。
【０１９０】
上記の実施形態では、車止め板を備えた車止め装置を用いたが、駐車スペースへの車両の出入りを制限する手段として、他の装置を用いることもできる。例えば、各駐車スペースの出入口に、ゲート、例えば、開閉するシャッターやドア、上下に移動する棒（例えば、電車の踏切のような形状のものや、通常は地中に格納され、使用時に垂直方向に上昇する棒）などを備えた装置を設置する。その装置を、上記の実施形態における車止め板を上昇させるタイミングで、ゲートを閉じた状態にするように動作させ、車止め板を下降させるタイミングで、ゲートを開いた状態にするように動作させることにより、上記の実施形態における車止め手段の代替物として使用できる。
【０１９１】
上記の実施形態における、店舗側装置２０が駐車場側装置１０の送受信部１５から予約データを受信したときの動作には、駐車場から店舗の予約が行われた際に、予約を受け付け可能か否かを判別するためのステップを含んでいる。しかし、その判別方法は上記の方法に限られるものではない。例えば、単に、予約データを受信した時点での店内客数データのみに基づいて、予約を受け付けるか否かを判断するように構成することも可能である。また、例えば、別の例として、経験則に基づいて、時刻と予約可能人数とを関連付けたテーブル（例えば、６時から７時までの間に予約可能な人数は２０人、７時から８時までの間に予約可能な人数は１０人というようデータを示すテーブル）を予め作成し、記憶部２４に記憶しておき、そのテーブルに基づいて、予約を受付可能か否かを判断するように構成することもできる。
【０１９２】
上記の第１の実施形態では、駐車料金の割引を行う際に、契約店舗での消費金額を考慮した。しかし、別の例として、契約店舗で消費する金額を考慮しない構成とすることもできる。その場合、店舗側装置２０から、店舗ＩＤデータと駐車スペース番号データとを送信し、この２つのデータに基づいて駐車場側装置１０が動作するように構成する。駐車場側装置１０の制御部１１は、駐車スペースに車両が駐車されていると判定すると、その駐車スペースに駐車料金の割引が適用される旨を示すデータを、駐車スペース番号データと関連付けて記憶部１４に記憶する。ユーザが駐車場から車両を退出させようとする際には、上記ステップＡ１７０と同様の動作を行う。制御部１１は、駐車料金の割引が適用される旨を示すデータが、駐車スペース番号データと関連付けて記憶部１４に記憶されているか否かを検査し、記憶されていないと判定した場合、上記ステップＡ１９０と同様の動作を行い、記憶されていると判定した場合、上記ステップＡ２００以降の動作と同様の動作を行う。
【０１９３】
上記の第１の実施形態は、ステップＡ１１０において、駐車料金割引用のプログラムの実行中に、入力された予約客識別データに基づいて、記憶部２４に記憶している駐車スペース番号データを自動的に読み出す構成である。しかし、例えば、予約客識別データを入力せずに、ユーザの呈示した駐車スペース番号データを直接に入力フォームから入力するように構成することもできる。その場合、ステップＡ１１０において用いる駐車料金割引用のプログラムにより表示部２３に表示される入力フォームは、駐車スペース番号データと、来店データと、消費金額データとを入力する欄を含む。また、このように構成した場合、駐車場側装置１０から契約店舗を予約しなくても、駐車料金の割引を受けることができる。
【０１９４】
上記の第１の実施形態では、ステップＡ１１０において、駐車料金割引用の入力フォームに消費金額データを入力した。しかし、消費金額が所定金額未満の場合には契約店舗側において何の処理も行わないように構成することも可能である。即ち、消費金額が所定金額未満の場合には、店舗側装置２０において駐車料金割引用の入力フォームを呼び出さない（データ入力しない）ようにする。この構成の場合、ステップＡ１４０〜Ａ１５０の処理を省略することができる。
【０１９５】
上記の第５の実施形態では、駐車予約開始時刻データにより示される時刻から、駐車開始時刻データにより示される時刻までの間の時間の駐車料金を、契約店舗側が支払う構成とした。しかし、別の例として、この間の時間に関しての駐車料金もユーザに請求するように構成することが可能である。その場合、ステップＤ２００において、駐車開始時刻データを記憶しないようにし、ステップＤ２００における処理を行わないようにし、ユーザが車両を駐車スペースから退出させる際に、駐車予約開始時刻データにより示される時刻から、ユーザが車両を駐車スペースから退出させるまでの時間に対する駐車料金を計算して請求する。
【０１９６】
上記の第５の実施形態においても、駐車料金の割引を行う構成を備えることができる。例えば、上記の第１の実施形態におけるステップＡ１１０から始まる駐車料金の計算の処理と同様の処理を適用する。
【０１９７】
【発明の効果】
本発明の駐車場管理システムにより、ユーザは、駐車場で、利用したい契約店舗を選択して予約することができるので、ユーザは契約店舗を確実に利用できるようになり、駐車料金が無駄になることがないという効果がある。また、契約店舗に関しては、駐車場でユーザに契約店舗を認識させる広告効果があり、かつ、ユーザがその契約店舗を選択できるようになるので、契約店舗の利用客の数を増大させることができ、営業利益を上げることができる効果がある。
【０１９８】
契約店舗は、サービスの一部、即ち、付加価値として、契約店舗を利用するユーザに対して駐車場所を提供することができるので、来客数を増加させられる効果がある。
【０１９９】
駐車場の運営側は、契約店舗から利益を得ることができ、その利益により駐車料金を下げることができ、それにより駐車場の利用客の数を増大させることができる効果がある。また、契約店舗にとっては、その契約店舗を利用した場合に駐車料金が割り引かれるという付加価値をユーザに提供できる効果がある。ユーザは、契約店舗を利用した時に駐車料金が割り引かれるので、金を節約することができる効果がある。
【０２００】
契約店舗は、契約店舗を利用するユーザのために駐車場を確保できるという付加価値をユーザに提供できるので、来客数を増加させられる効果がある。駐車場の運営側は、契約店舗が駐車場を使用することにより、駐車場の稼働率を高めることができる効果がある。
【図面の簡単な説明】
【図１】図１は、本発明の一実施形態の駐車場管理システムの構成を示す。
【図２】図２は、本発明の一実施形態の駐車場管理システムの駐車場側装置の外観の一実施形態を示す。
【図３】図３は、本発明の第１の実施形態の駐車場管理システムの、駐車場側装置から契約店舗のサービスを予約する動作を示すフローチャートの一部であり、図３のフローチャートと図４のフローチャートとにより１つのフローチャートを構成する。
【図４】図４は、本発明の第１の実施形態の駐車場管理システムの、駐車場側装置から契約店舗のサービスを予約する動作を示すフローチャートの一部であり、図４のフローチャートと図３のフローチャートとにより１つのフローチャートを構成する。
【図５】図５は、本発明の第１の実施形態の駐車場管理システムの契約店舗でサービスを受けたユーザに対して、駐車料金の割引を行う動作を示すフローチャートの一部であり、図５のフローチャートと図６および図７のフローチャートとにより１つのフローチャートを構成する。
【図６】図６は、本発明の第１の実施形態の駐車場管理システムの契約店舗でサービスを受けたユーザに対して、駐車料金の割引を行う動作を示すフローチャートの一部であり、図６のフローチャートと図５および図７のフローチャートとにより１つのフローチャートを構成する。
【図７】図７は、本発明の第１の実施形態の駐車場管理システムの契約店舗でサービスを受けたユーザに対して、駐車料金の割引を行う動作を示すフローチャートの一部であり、図７のフローチャートと図５および図６のフローチャートとにより１つのフローチャートを構成する。
【図８】図８は、本発明の第１の実施形態の駐車場側装置の送受信部から予約データを受信した店舗側装置の動作を示すフローチャートの一部であり、図８のフローチャートと図９のフローチャートとにより１つのフローチャートを構成する。
【図９】図９は、本発明の第１の実施形態の駐車場側装置の送受信部から予約データを受信した店舗側装置の動作を示すフローチャートの一部であり、図９のフローチャートと図８のフローチャートとにより１つのフローチャートを構成する。
【図１０】図１０は、本発明の第３の実施形態の駐車場管理システムの契約店舗でサービスを受けたユーザに対して、駐車料金の割引を行う動作を示すフローチャートの一部であり、図１０のフローチャートと図１１および図１２のフローチャートとにより１つのフローチャートを構成する。
【図１１】図１１は、本発明の第３の実施形態の駐車場管理システムの契約店舗でサービスを受けたユーザに対して、駐車料金の割引を行う動作を示すフローチャートの一部であり、図１１のフローチャートと図１０および図１２のフローチャートとにより１つのフローチャートを構成する。
【図１２】図１２は、本発明の第３の実施形態の駐車場管理システムの契約店舗でサービスを受けたユーザに対して、駐車料金の割引を行う動作を示すフローチャートの一部であり、図１２のフローチャートと図１０および図１１のフローチャートとにより１つのフローチャートを構成する。
【図１３】図１３は、本発明の第５の実施形態の駐車場管理システムの、店舗側装置から駐車場の駐車スペースを予約する動作を示すフローチャートであり、図１３のフローチャートと図１４および図１４のフローチャートとにより１つのフローチャートを構成する。
【図１４】図１４は、本発明の第５の実施形態の駐車場管理システムの、店舗側装置から駐車場の駐車スペースを予約する動作を示すフローチャートであり、図１４のフローチャートと図１３および図１５のフローチャートとにより１つのフローチャートを構成する。
【図１５】図１５は、本発明の第５の実施形態の駐車場管理システムの、店舗側装置から駐車場の駐車スペースを予約する動作を示すフローチャートであり、図１５のフローチャートと図１３および図１４のフローチャートとにより１つのフローチャートを構成する。
【符号の説明】
１０  駐車場側装置、１１  制御部、１２  入力部、１３  表示部、１４  記憶部、１５  送受信部、１６  計時部、１７  料金投入部、１８  発行部、１９タッチパネル、２０  店舗側装置、２１  制御部、２２  入力部、２３  表示部、２４  記憶部、２５  送受信部、２６  計時部、３０  通信回線、４０  車止め装置
【図１】
2004334299.tif 000003
【図２】
2004334299.tif 000004
【図３】
2004334299.tif 000005
【図４】
2004334299.tif 000006
【図５】
2004334299.tif 000007
【図６】
2004334299.tif 000008
【図７】
2004334299.tif 000009
【図８】
2004334299.tif 000010
【図９】
2004334299.tif 000011
【図１０】
2004334299.tif 000012
【図１１】
2004334299.tif 000013
【図１２】
2004334299.tif 000014
【図１３】
2004334299.tif 000015
【図１４】
2004334299.tif 000016
【図１５】
2004334299.tif 000017